(57)【要約】  ワイヤレス通信システムおよび方法が紹介される。ワイヤレス通信デバイスは、第1のビットロケーションを有する第1のサブブロックおよび第2のビットロケーションを有する第2のサブブロックを含む第1の符号化情報ブロックを配列することができる。第2のビットロケーションは、第1のビットロケーションの後である。ワイヤレス通信デバイスはまた、第1のロケーションを、受信側の第2のワイヤレス通信の復号順序で、第2のビットロケーションよりも前に位置決めし得る。ワイヤレス通信デバイスは、第1および第2のサブブロックを、符号化情報ブロックとして第2のワイヤレス通信デバイスへ送信し得る。
2020522911.tif 000002
【特許請求の範囲】
【請求項１】
ワイヤレス通信の方法であって、
第1のワイヤレス通信デバイスによって、第1の情報を、第1のビットロケーションを有する第1のサブブロックの中に、および第2の情報を、前記第1のビットロケーションの後の第2のビットロケーションを有する第2のサブブロックの中に配列するステップと、
前記第1のワイヤレス通信デバイスによって、前記第1のビットロケーションを、受信側の第2のワイヤレス通信デバイスの復号順序で、前記第2のビットロケーションよりも前に位置決めするステップと、
前記第1のワイヤレス通信デバイスによって、前記第1のサブブロックおよび前記第2のサブブロックを、符号化情報ブロックとして前記第2のワイヤレス通信デバイスへ送信するステップとを含む方法。
【請求項２】
前記第1の情報はシステムフレーム情報を含む、請求項1に記載の方法。
【請求項３】
前記第2の情報はスケジューリング情報を含む、請求項1に記載の方法。
【請求項４】
位置決めする前記ステップは、
前記第1のビットロケーションについての第1の推定信頼度に基づいて、前記第1のビットロケーションを選択するステップと、
前記第2のビットロケーションについての第2の推定信頼度に基づいて、前記第2のビットロケーションを選択するステップであって、前記第1の推定信頼度は前記第2の推定信頼度未満である、ステップとを含む、請求項1に記載の方法。
【請求項５】
送信する前記ステップに先立って、前記第1のワイヤレス通信デバイスによって、前記第1および第2の情報を含む情報ブロックをポーラー符号化して、前記第1のサブブロックおよび前記第2のサブブロックを含む前記符号化情報ブロックを生成するステップをさらに含む、請求項1に記載の方法。
【請求項６】
前記第1のワイヤレス通信デバイスによって、第3の情報を第3のサブブロックの中に、および第4の情報を第4のサブブロックの中に配列するステップであって、前記第3のサブブロックは前記第1のサブブロックに関連付けられ、前記第4のサブブロックは前記第2のサブブロックに関連付けられる、ステップと、
前記第1のワイヤレス通信デバイスによって、前記第3および第4の情報を含む第2の情報ブロックをポーラー符号化して、前記第3のサブブロックおよび前記第4のサブブロックを含む第2の符号化情報ブロックを生成するステップと、
前記第1のワイヤレス通信デバイスによって、前記第2の符号化情報ブロックを、前記符号化情報ブロックの後に前記第2のワイヤレス通信デバイスへ送信するステップとをさらに含む、請求項5に記載の方法。
【請求項７】
前記第1のサブブロックは第1の複数の情報を含み、前記第2のサブブロックは第2の複数の情報を含み、前記第3のサブブロックは第3の複数の情報を含み、前記第4のサブブロックは第4の複数の情報を含み、
第1の情報ブロックの前記ポーラー符号化は、前記第1および第2の複数の情報からの第1の要素をもつ前記第1の情報と、前記第2の複数の情報からの第2の要素をもつ前記第2の情報を組み合わせることを含み、
前記第2の情報ブロックの前記ポーラー符号化は、前記第3および第4の複数の情報からの第3の要素をもつ前記第3の情報と、前記第4の複数の情報からの第4の要素をもつ前記第4の情報を組み合わせることを含む、請求項6に記載の方法。
【請求項８】
前記第1および第2の情報ブロックの前記ポーラー符号化は、自然順序符号化を含む、請求項7に記載の方法。
【請求項９】
前記第1および第2のサブブロックを配列する前記ステップは、前記第2のサブブロックを、第1の符号化情報ブロック中で前記第1のサブブロックの後に位置決めするステップを含み、
前記第3および第4のサブブロックを配列する前記ステップは、前記第4のサブブロックを、前記第2の符号化情報ブロック中で前記第3のサブブロックの後に位置決めするステップを含む、請求項6に記載の方法。
【請求項１０】
ワイヤレス通信の方法であって、
第1のワイヤレス通信デバイスによって、第2のワイヤレス通信デバイスから符号化情報ブロックを受信するステップであって、前記符号化情報ブロックは、第1のビットロケーションを有する第1のサブブロックおよび前記第1のビットロケーションの後の第2のビットロケーションを有する第2のサブブロックを含む、ステップと、
前記第1のワイヤレス通信デバイスによって、前記第1のサブブロックを復号するステップと、
前記第1のワイヤレス通信デバイスによって、前記第1のサブブロックの後に前記第2のサブブロックを復号するステップとを含む方法。
【請求項１１】
前記第1のサブブロックはシステムフレーム番号情報を含む、請求項10に記載の方法。
【請求項１２】
前記第2のサブブロックはスケジューリング情報を含む、請求項10に記載の方法。
【請求項１３】
前記第1のワイヤレス通信デバイスによって、前記第2のワイヤレス通信デバイスから第2の符号化情報ブロックを受信するステップであって、前記第2の符号化情報ブロックは第3のサブブロックおよび第4のサブブロックを含み、前記第3のサブブロックは前記第1のサブブロックに関連付けられ、前記第4のサブブロックは前記第2のサブブロックに関連付けられる、ステップと、
前記第1のワイヤレス通信デバイスによって、前記第2のサブブロックと前記第4のサブブロックとの間の相関値を判断するステップと、
前記相関値が閾値未満であるとの判断に応答して、前記第2の符号化情報ブロックを復号する代わりに、前記第1のワイヤレス通信デバイスによって、前記第2のサブブロック中に含まれる情報を、前記第4のサブブロック中に含まれる情報として採用するステップとをさらに含む、請求項10に記載の方法。
【請求項１４】
前記相関値が前記閾値よりも大きいとの判断に応答して、前記第1のワイヤレス通信デバイスによって、前記第2の符号化情報ブロックの前記第4のサブブロックを復号するステップをさらに含む、請求項13に記載の方法。
【請求項１５】
前記第1のワイヤレス通信デバイスによって、第1の符号化情報ブロックからの第1の複数の対数尤度比(LLR)を、前記第2のサブブロックについての第1の推定として判断するステップと、
前記第1のワイヤレス通信デバイスによって、前記第2の符号化情報ブロックからの第2の複数のLLRを、前記第4のサブブロックについての第2の推定として判断するステップとをさらに含む、請求項13に記載の方法。
【請求項１６】
前記第1の推定のための前記第1の複数のLLRのサブセットを選択するステップであって、前記第1の複数のLLRの前記サブセットを選択する前記ステップは、第1のビット反転配置に基づく、ステップと、
前記第2の推定のための前記第2の複数のLLRのサブセットを選択するステップであって、前記第2の複数のLLRの前記サブセットを選択する前記ステップは、第2のビット反転配置に基づく、ステップとをさらに含む、請求項15に記載の方法。
【請求項１７】
前記相関値を判断する前記ステップは、前記第1のワイヤレス通信デバイスによって、前記第1および第2の推定を互いと比較して、前記相関値を判断するステップと、
前記第1のワイヤレス通信デバイスによって、前記相関値を正規化して、正規化された相関係数を生成するステップであって、前記正規化された相関係数は、前記閾値と比較される、ステップとを備える、請求項15に記載の方法。
【請求項１８】
第1の情報を、第1のビットロケーションを有する第1のサブブロックの中に、および第2の情報を、前記第1のビットロケーションの後の第2のビットロケーションを有する第2のサブブロックの中に配列し、
前記第1のビットロケーションを、ワイヤレス通信デバイスの復号順序で、前記第2のビットロケーションよりも前に位置決めするように構成された
プロセッサと、
前記第1のサブブロックおよび前記第2のサブブロックを、符号化情報ブロックとして前記ワイヤレス通信デバイスへ送信するように構成されたトランシーバ
とを備える装置。
【請求項１９】
前記第1の情報はシステムフレーム情報を含む、請求項18に記載の装置。
【請求項２０】
前記第2の情報はスケジューリング情報を含む、請求項18に記載の装置。
【請求項２１】
前記プロセッサは、
前記第1および第2の情報を含む情報ブロックをポーラー符号化して、前記第1のサブブロックおよび前記第2のサブブロックを含む前記符号化情報ブロックを生成するようにさらに構成される、請求項18に記載の装置。
【請求項２２】
前記プロセッサは、
第3の情報を第3のサブブロックの中に、および第4の情報を第4のサブブロックの中に配列することであって、前記第3のサブブロックは前記第1のサブブロックに関連付けられ、前記第4のサブブロックは前記第2のサブブロックに関連付けられる、配列することと、
前記第3および第4の情報を含む第2の情報ブロックをポーラー符号化して、前記第3のサブブロックおよび前記第4のサブブロックを含む第2の符号化情報ブロックを生成することとを行うようにさらに構成され、
前記トランシーバは、前記符号化情報ブロックの後に、前記第2の符号化情報ブロックを前記ワイヤレス通信デバイスへ送信するようにさらに構成される、請求項21に記載の装置。
【請求項２３】
前記第1のサブブロックは第1の複数の情報を含み、前記第2のサブブロックは第2の複数の情報を含み、前記第3のサブブロックは第3の複数の情報を含み、前記第4のサブブロックは第4の複数の情報を含み、
前記プロセッサは、第1の情報ブロックを前記ポーラー符号化することの一部として、前記第1および第2の複数の情報からの第1の要素をもつ前記第1の情報と、前記第2の複数の情報からの第2の要素をもつ前記第2の情報を組み合わせるようにさらに構成され、
前記プロセッサは、前記第2の情報ブロックを前記ポーラー符号化することの一部として、前記第3および第4の複数の情報からの第3の要素をもつ前記第3の情報と、前記第4の複数の情報からの第4の要素をもつ前記第4の情報を組み合わせるようにさらに構成される、請求項22に記載の装置。
【請求項２４】
前記第1および第2の情報ブロックの前記ポーラー符号化は、自然順序符号化を含む、請求項23に記載の装置。
【請求項２５】
前記第1および第2の情報ブロックの前記ポーラー符号化は、逆順符号化を含む、請求項23に記載の装置。
【請求項２６】
前記プロセッサは、
前記第2のサブブロックを、第1の符号化情報ブロック中で前記第1のサブブロックの後に位置決めし、
前記第4のサブブロックを、前記第2の符号化情報ブロック中で前記第3のサブブロックの後に位置決めするようにさらに構成される、請求項22に記載の装置。
【請求項２７】
装置であって、
前記装置によって、ワイヤレス通信デバイスから符号化情報ブロックを受信するように構成されたトランシーバであって、前記符号化情報ブロックは、第1のビットロケーションを有する第1のサブブロックおよび前記第1のビットロケーションの後の第2のビットロケーションを有する第2のサブブロックを含む、トランシーバと、
前記第1のサブブロックを復号し、前記第1のサブブロックの後に前記第2のサブブロックを復号するように構成されたプロセッサとを備える装置。
【請求項２８】
前記第1のサブブロックはシステムフレーム番号情報を含む、請求項27に記載の装置。
【請求項２９】
前記第2のサブブロックはスケジューリング情報を含む、請求項27に記載の装置。
【請求項３０】
前記トランシーバは、前記ワイヤレス通信デバイスから第2の符号化情報ブロックを受信するようにさらに構成され、前記第2の符号化情報ブロックは第3のサブブロックおよび第4のサブブロックを含み、前記第3のサブブロックは前記第1のサブブロックに関連付けられ、前記第4のサブブロックは前記第2のサブブロックに関連付けられ、
前記プロセッサは、前記第2のサブブロックと前記第4のサブブロックとの間の相関値を判断し、前記相関値が閾値未満であるとの判断に応答して、前記第2の符号化情報ブロックを復号する代わりに、前記第2のサブブロック中に含まれる情報を、前記第4のサブブロック中に含まれる情報として採用するようにさらに構成される、請求項27に記載の装置。
【請求項３１】
前記プロセッサは、
前記相関値が前記閾値よりも大きいという前記判断に応答して、前記第2の符号化情報ブロックの前記第4のサブブロックを復号するようにさらに構成される、請求項30に記載の装置。
【請求項３２】
前記プロセッサは、
第1の符号化情報ブロックからの第1の複数の対数尤度比(LLR)を、前記第2のサブブロックについての第1の推定として判断し、
前記第2の符号化情報ブロックからの第2の複数のLLRを、前記第4のサブブロックについての第2の推定として判断するようにさらに構成される、請求項30に記載の装置。
【請求項３３】
前記プロセッサは、
前記第1の推定のための前記第1の複数のLLRのサブセットを選択することであって、前記第1の複数のLLRの前記サブセットの前記選択は、第1のビット反転配置に基づく、選択することと、
前記第2の推定のための前記第2の複数のLLRのサブセットを選択することであって、前記第2の複数のLLRの前記サブセットの前記選択は、第2のビット反転配置に基づく、選択することとを行うように
さらに構成される、請求項32に記載の装置。
【請求項３４】
前記プロセッサは、
前記相関値の前記判断の一部として、前記第1および第2の推定を互いと比較して、前記相関値を判断することと、
前記相関値を正規化して、正規化された相関係数を生成することであって、前記正規化された相関係数は、前記閾値と比較される、生成することとを行うように
さらに構成される、請求項32に記載の装置。
【請求項３５】
前記装置はユーザ機器を含み、前記ワイヤレス通信デバイスは発展型ノードBを含む、請求項27に記載の装置。
【発明の詳細な説明】
【技術分野】
【０００１】
関連出願の相互参照
本出願は、以下にその全体が完全に示されているかのように、すべての適用可能な目的のために、各々が参照によってその全体が本明細書に組み込まれている、2018年5月4日に出願した米国特許非仮出願第15/971,967号、2017年5月8日に出願した米国特許仮出願第62/503,253号、および2017年6月12日に出願した米国特許仮出願第62/518,589号の優先権および利益を主張するものである。
【０００２】
本出願は、ワイヤレス通信システムに関し、より詳細には、無線アクセスネットワーク(RAN)のワイヤレス通信デバイスに低レイテンシ通信および低減電力消費を可能にさせるシステムおよび方法に関する。
【背景技術】
【０００３】
ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例は、符号分割多元接続(CDMA)システム、時分割多元接続(TDMA)システム、周波数分割多元接続(FDMA)システム、および直交周波数分割多元接続(OFDMA)システム(たとえば、ロングタームエボリューション(LTE)システム)を含む。ワイヤレス多元接続通信システムは、ユーザ機器(UE)としても知られていることがある、複数の通信デバイスのための通信を各々が同時にサポートする、いくつかの基地局(BS)を含み得る。
【０００４】
拡張接続性に対する高まる需要を満たすために、ワイヤレス通信技術または無線アクセス技術は、LTE技術から次世代新無線(NR)技術へと進歩している。接続性を拡張するための一技法は、比較的低い周波数が過密しつつあるので、周波数動作範囲を、比較的高い周波数まで拡張することであり得る。たとえば、LTEは、低周波数範囲(たとえば、1ギガヘルツ(GHz)を下回る)から中間周波数範囲(たとえば、約1GHzから約3GHzの間)の間で動作することができ、次世代NRは、高周波数範囲(たとえば、約3GHzから約30GHzの間)内で動作することができる。
【０００５】
次世代NRでは、ペイロードサイズは、増大する場合があり、たとえば、より複雑なコーディング方式により、復号複雑度につながる場合がある。コーディング方式とペイロードサイズの両方(たとえば、両方の組合せ)に基づく、複雑度のこの増大は、レイテンシ問題を引き起こす可能性があり、UEからより多くの電力を排出させる場合がある。常時物理ブロードキャストチャネル(PBCH)監視および復号のための効率は、その結果、次世代NRにおける新たな難題を課す。特に、同期フェーズを通るUEは通常、アイドル状態においてPBCHを常時、および繰り返し復号するので、復号レイテンシ、効率、および電力消費は、改善を必要とする、次世代NR技術における重要な差別化要因になり得る。
【発明の概要】
【課題を解決するための手段】
【０００６】
以下では、論じる技術の基本的理解を与えるために本開示のいくつかの態様を要約する。この要約は、本開示のすべての企図された特徴の広範な概観ではなく、本開示のすべての態様の主要または重要な要素を識別するものでもなく、本開示のいずれかまたはすべての態様の範囲を定めるものでもない。その唯一の目的は、後で提示するより詳細な説明の前置きとして、本開示の1つまたは複数の態様のいくつかの概念を概要の形で提示することである。
【０００７】
ワイヤレス通信システムに接続されたワイヤレス通信デバイスは、ワイヤレス通信システムと同期するために、ワイヤレス通信システムと常時通信することが求められ得る。同期プロセスの一部として、ワイヤレス通信デバイスは、物理ブロードキャストチャネル(PBCH)からマスタ情報ブロック(MIB)を常時受信し得る。マスタ情報ブロックは符号化されている場合があり、したがって、ワイヤレス通信デバイスは、MIBの内容を復号することを求められる場合があり、次いで、復号MIB中の情報を、PBCHと同期するのに使えばよい。PBCHによって送信された信号を復号すると、すなわち、MIBを復号すると、レイテンシが引き起こされる場合があり、大量の電力が消耗される場合がある。以下で論じる方法およびシステムは、MIBの復号に関連したレイテンシおよび電力消費の問題に対処する。
【０００８】
本開示の実施形態は、第1のワイヤレス通信デバイスによって、第1の情報を、第1のビットロケーションを有する第1のサブブロックの中に、および第2の情報を、第1のビットロケーションの後の第2のビットロケーションを有する第2のサブブロックの中に配列するステップを含む、ワイヤレス通信の方法を提供する。この方法は、第1のワイヤレス通信デバイスによって、第1のビットロケーションを、受信側の第2のワイヤレス通信デバイスの復号順序で、第2のビットロケーションよりも前に位置決めするステップをさらに含む。方法は、第1のワイヤレス通信デバイスによって、第1のサブブロックおよび第2のサブブロックを、符号化情報ブロックとして第2のワイヤレス通信デバイスへ送信するステップをさらに含む。
【０００９】
本開示の追加態様では、ワイヤレス通信の方法は、第1のワイヤレス通信デバイスによって、第2のワイヤレス通信デバイスから符号化情報ブロックを受信するステップを含み、符号化情報ブロックは、第1のビットロケーションを有する第1のサブブロックおよび第1のビットロケーションの後の第2のビットロケーションを有する第2のサブブロックを含む。この方法は、第1のワイヤレス通信デバイスによって、第1のサブブロックを復号するステップをさらに含む。方法は、第1のワイヤレス通信デバイスによって、第1のサブブロックの後で第2のサブブロックを復号するステップをさらに含む。
【００１０】
本開示の実施形態は、ワイヤレス通信デバイスによって、第1のサブブロックおよび第2のサブブロックを含む第1の符号化情報ブロックを受信するステップを含む、ワイヤレス通信の方法をさらに含む。第1のサブブロックは、第2のサブブロックよりも高頻度で変化する情報を含む。この方法は、ワイヤレス通信デバイスによって、第3のサブブロックおよび第4のサブブロックを含む第2の符号化情報ブロックを受信するステップをさらに含む。第3のサブブロックは第1のサブブロックに関連付けられてよく、第4のサブブロックは第2のサブブロックに関連付けられてよい。方法はまた、ワイヤレス通信デバイスによって、第2のサブブロックと第4のサブブロックとの間の相関値を判断するステップと、また、ワイヤレス通信デバイスによる判断に基づいて、第2の符号化情報ブロックの第4のサブブロックを復号するステップとを含む。
【００１１】
本開示の追加態様では、ワイヤレス通信の方法は、ワイヤレス通信デバイスによって、第1のサブブロックおよび第2のサブブロックを含む第1の符号化情報ブロックを受信するステップを含む。第1のサブブロックは、第2のサブブロックよりも高頻度で変化する情報を含む。この方法は、ワイヤレス通信デバイスによって、第3のサブブロックおよび第4のサブブロックを含む第2の符号化情報ブロックを受信するステップを含む。第3のサブブロックは第1のサブブロックに関連付けられてよく、第4のサブブロックは第2のサブブロックに関連付けられてよい。方法は、ワイヤレス通信デバイスによって、少なくとも第2のサブブロックおよび予期される情報に基づいて、第5のサブブロックを判断するステップも含む。方法は、第2のサブブロックと第5のサブブロックとの間の相関値を判断するステップと、ワイヤレス通信デバイスによる判断に基づいて、第2の符号化情報ブロックの第4のサブブロックを復号するステップとをさらに含む。
【００１２】
本開示の追加態様では、ワイヤレス通信の方法は、ワイヤレス通信デバイスによって、第1のサブブロックおよび第2のサブブロックを含む第1の符号化情報ブロックを送信するステップを含む。第1のサブブロックは、第2のサブブロックよりも高頻度で変化する情報を含み得る。第2のサブブロックは、第1の符号化情報ブロック中で第1のサブブロックの後に位置決めされ得る。この方法は、第3のサブブロックおよび第4のサブブロックを含み得る第2の符号化情報ブロックを送信するステップも含む。第3のサブブロックは第1のサブブロックに関連付けられてよく、第4のサブブロックは第2のサブブロックに関連付けられてよい。第4のサブブロックは、第2の符号化情報ブロック中で第3のサブブロックの後に位置決めされ得る。
【００１３】
本開示の追加態様では、装置は、第1の情報を、第1のビットロケーションを有する第1のサブブロックの中に、および第2の情報を、第1のビットロケーションの後の第2のビットロケーションを有する第2のサブブロックの中に配列するように構成されたプロセッサを備える。プロセッサは、第1のビットロケーションを、ワイヤレス通信デバイスの復号順序で、第2のビットロケーションよりも前に位置決めするようにさらに構成される。装置は、第1のサブブロックおよび第2のサブブロックを、符号化情報ブロックとしてワイヤレス通信デバイスへ送信するように構成されたトランシーバをさらに備える。
【００１４】
本開示の追加態様では、装置は、装置によって、ワイヤレス通信デバイスから符号化情報ブロックを受信するように構成されたトランシーバを備え、符号化情報ブロックは、第1のビットロケーションを有する第1のサブブロックおよび第1のビットロケーションの後の第2のビットロケーションを有する第2のサブブロックを含む。装置は、第1のサブブロックを復号し、第1のサブブロックの後で第2のサブブロックを復号するように構成されたプロセッサをさらに備える。
【００１５】
添付の図とともに本発明の特定の例示的な実施形態の以下の説明を検討すれば、本発明の他の態様、特徴、および実施形態が当業者に明らかとなろう。本発明の特徴について、以下のいくつかの実施形態および図に関して説明する場合があるが、本発明のすべての実施形態が、本明細書で説明する有利な特徴のうちの1つまたは複数を含むことができる。言い換えれば、1つまたは複数の実施形態について、いくつかの有利な特徴を有するものとして説明する場合があるが、そのような特徴のうちの1つまたは複数が、本明細書で説明する本発明の様々な実施形態に従って使用される場合もある。同様に、例示的な実施形態について、デバイス実施形態、システム実施形態、または方法実施形態として以下で説明する場合があるが、そのような例示的な実施形態を様々なデバイス、システム、および方法に実装できることを理解されたい。
【図面の簡単な説明】
【００１６】
【図１】本開示の実施形態による例示的なワイヤレス通信ネットワークを示す図である。
【図２】本開示の実施形態による例示的なユーザ機器(UE)のブロック図である。
【図３】本開示の実施形態による例示的な基地局(BS)のブロック図である。
【図４】本開示の実施形態による、例示的なUEによって監視を実施するための例示的な方法のシグナリング図である。
【図５】本開示の実施形態による、例示的なマスタ情報ブロックの例示的なビット構造のブロック図である。
【図６】本開示の実施形態による、情報ブロックを符号化する例示的な手順のブロック図である。
【図７】本開示の実施形態による、自然順序でのシーケンスのポーラー符号化のための例示的なシステムのブロック図である。
【図８】本開示の実施形態による、自然順序でのシーケンスのポーラー符号化のための例示的なシステムのブロック図である。
【図９】本開示の実施形態による、逆順でのシーケンスのポーラー符号化のための例示的なシステムのブロック図である。
【図１０】本開示の実施形態による、マスタ情報ブロックを復号するための例示的なシステムのブロック図である。
【図１１】本開示の実施形態による、マスタ情報ブロックを復号するための例示的なシステムのブロック図である。
【図１２】本開示の実施形態による、例示的なUEによってマスタ情報ブロックを受信する例示的な方法の流れ図である。
【図１３】本開示の実施形態による、例示的なUEによってマスタ情報ブロックを受信する例示的な方法の流れ図である。
【図１４】本開示の実施形態による、例示的なBSによってマスタ情報ブロックを送信する例示的な方法の流れ図である。
【図１５】ワイヤレス通信システムおよびアクセスネットワークの例を示す図である。
【図１６】UEと基地局との間のワイヤレス通信の例を示す図である。
【図１７】ワイヤレス通信の方法のフローチャートである。
【図１８】例示的な装置の中の異なる手段/構成要素間のデータフローを示す概念データフロー図である。
【図１９】処理システムを利用する装置のハードウェア実装形態の例を示す図である。
【図２０】ワイヤレス通信の方法のフローチャートである。
【図２１】例示的な装置の中の異なる手段/構成要素間のデータフローを示す概念データフロー図である。
【図２２】処理システムを利用する装置のハードウェア実装形態の例を示す図である。
【発明を実施するための形態】
【００１７】
添付の図面に関して以下に記載される発明を実施するための形態は、様々な構成の説明として意図され、本明細書で説明される概念が実践され得る唯一の構成を表すことは意図されない。発明を実施するための形態は、様々な概念の完全な理解をもたらすための具体的な詳細を含む。しかしながら、これらの具体的な詳細なしにこれらの概念が実践され得ることは当業者には明らかであろう。いくつかの事例では、よく知られている構造および構成要素が、そのような概念を不明瞭にすることを避けるためにブロック図の形態で示される。
【００１８】
本明細書で説明する技法は、符号分割多元接続(CDMA)、時分割多元接続(TDMA)、周波数分割多元接続(FDMA)、直交周波数分割多元接続(OFDMA)、シングルキャリアFDMA(SC-FDMA)および他のネットワークなどの様々なワイヤレス通信ネットワークに使用される場合がある。「ネットワーク」および「システム」という用語は、しばしば、互換的に使用される。CDMAネットワークは、ユニバーサル地上無線アクセス(UTRA)、cdma2000などの無線技術を実装し得る。UTRAは、広帯域CDMA(WCDMA(登録商標))、およびCDMAの他の変形を含む。cdma2000は、IS-2000規格、IS-95規格、およびIS-856規格をカバーする。TDMAネットワークは、モバイル通信用グローバルシステム(GSM(登録商標))などの無線技術を実装する場合がある。OFDMAネットワークは、発展型UTRA(E-UTRA)、ウルトラモバイルブロードバンド(UMB)、IEEE 802.11(Wi-Fi)、IEEE 802.16(WiMAX)、IEEE 802.20、Flash-OFDMAなどの無線技術を実装し得る。UTRAおよびE-UTRAはユニバーサルモバイルテレコミュニケーションシステム(UMTS)の一部である。3GPPロングタームエボリューション(LTE)およびLTEアドバンスト(LTE-A)は、E-UTRAを使用するUMITSの新しいリリースである。UTRA、E-UTRA、UMTS、LTE、LTE-A、およびGSM(登録商標)は、「第3世代パートナーシッププロジェクト」(3GPP)という名称の組織からの文書に記載されている。CDMA2000およびUMBは、「第3世代パートナーシッププロジェクト2」(3GPP2)という名称の組織からの文書に記載されている。本明細書で説明する技法は、上述のワイヤレスネットワークおよび無線技術、ならびに、次世代(たとえば、mmWave帯域内で動作する第5世代(5G))ネットワークなどの他のワイヤレスネットワークおよび無線技術のために使用される場合がある。
【００１９】
本開示の実施形態は、MIB用のビットフィールドが送信用にどのように配列されるか、ならびに受信端におけるMIBがいつ復号されるかを修正することによって、マスタ情報ブロックの送信および受信に関連付けられた電力消費および/またはレイテンシを低減するための機構、システムおよび技法について記載する。
【００２０】
いくつかの例では、物理ブロードキャストチャネル(PBCH)に関連付けられたMIBが、ユーザ機器を基地局と同期されたままにするために、基地局(BS)から、物理ブロードキャストチャネルに関連付けられたユーザ機器(UE)へ定期的に(たとえば、断続的に、または常時)送信される。本開示の実施形態によると、ポーラーコーディングが、マスタ情報ブロックを符号化するために使われ得る。いくつかの例では、送信前に、マスタ情報ブロックのフィールドは、フィールドの2つのグループに分割され得る。フィールドの第1のグループは、フィールドの第2のグループよりも高頻度で、たとえば、ある期間から次の期間までに変化すると判断されたフィールドを含み得る。フィールドの第2のグループは、フィールドの第1のグループよりも低頻度で変化する、たとえば、いくつかの期間の間など、ある期間から次の期間までに変化しない場合がある。いくつかの例では、各フィールドは、データの1つまたは複数のビットを含み得る。
【００２１】
基地局は、マスタ情報ブロック(これは次いで、ユーザ機器へ送信される)を符号化するのにポーラーコーディングを使うことができるので、ユーザ機器は、マスタ情報ブロックを取り出すのに、ポーラー復号を使えばよい。本開示の実施形態によると、ユーザ機器は、受信したあらゆるマスタ情報ブロックを復号するわけではない。そうではなく、ユーザ機器は、フィールドの第2のグループの対数尤度比(LLR)を計算し、LLRを閾値(たとえば、2つのベクトルの間の角度に対応する角度閾値)と比較すればよい。LLR値が閾値未満である場合、ユーザ機器は、マスタ情報ブロックを復号しないと判断する(すなわち、フィールドの第2のグループに含まれるデータが、復号された最後の期間から変化していないという結論に対して)。一方、LLR値が閾値よりも大きい場合、ユーザ機器は、マスタ情報ブロックの復号を続けると判断する(すなわち、フィールドの第2のグループに含まれるデータが、復号された最後の期間から変化したという結論に対して)。
【００２２】
本開示の代替実施形態では、ポーラー符号化は、コードワードビットインデックスによって、フィールドの2つのグループ、すなわち、マスタ情報ブロックのフィールドすべてに基づいて符号化され得るフィールドの第1のグループ、およびマスタ情報ブロックのフィールドのサブセットに基づいて符号化され得るフィールドの第2のグループに分割され得るコードワードを生成することができる。いくつかの例では、ある期間から次の期間までに変化しない場合があるマスタ情報ブロックのフィールドの第2のグループは、マスタ情報ブロックのフィールドの第2のグループが符号化マスタ情報ブロックのフィールドの第2のグループを生成し得るように、フィールドのサブセットに割り当てられる。したがって、符号化マスタ情報ブロックのフィールドの第2のグループは、ある時間期間から次の時間期間までに変化しない場合があり、いくつかの時間期間の間は変化しない場合さえもある。
【００２３】
本開示の態様は、いくつかの利益をもたらす。たとえば、本開示の態様によるポーラーコーディング波形設計(高頻度で変化するビットをフィールドの第1のグループに、および高頻度では変化しないビットをフィールドの第2のグループに配列するための、MIB用のビットフィールドの配列を含み、ならびにいくつかの実施形態では、フィールドの第2のグループからのコードワードが、フィールドの第1のグループからのどのビットまたはコードワードにも依存しないことを含む)は、受信側ユーザ機器が、受信されたMIBのすべてには満たないものを復号することを可能にする。たとえば、受信側ユーザ機器における追加利益は、レイテンシおよび/または電力消費の低減である。これは、本開示の実施形態によると、LLRとのUEの比較の結果、UEは、受信されたあらゆるMIBを復号するわけではないことになり得る(すなわち、LLR比較が、受信されたMIB中のフィールドの第2のグループを、前の期間中に受信/復号されたものから変化していないと識別するとき)からである。その結果、NRネットワークにおけるPBCHポーラーコード波形のより効率的な復号となり、これにより、PBCH波形中で符号化された情報にアクセスする「コスト」が低減する。
【００２４】
これにより、NRネットワークは、LTEコンポーネントキャリアまたは周波数帯域中でLTEリソースを共有または再使用することが可能になる。たとえば、NRネットワークは、1つまたは複数のLTE UL周波数帯域と対であるNR周波数帯域にわたって動作し得る。NRネットワークのBSは、ランダムアクセス構成を含むシステム情報をブロードキャストすることができる。ランダムアクセス構成は、NRネットワークへの初期アクセスを得るためのランダムアクセス手順を実施するためのリソースを示し得る。ランダムアクセスリソースは、LTE UL周波数帯域のうちの1つの中にあり得る。NRネットワークへの初期アクセスを得るために、UEは、LTE UL周波数帯域中でランダムアクセス要求(たとえば、ランダムアクセスプリアンブル信号)を送信すればよく、BSは、NR周波数帯域中でランダムアクセス応答を送信することによって応答すればよい。続いて、UEは、BSとの接続を確立するために、LTE UL周波数帯域中で接続要求を送信すればよい。BSは、NR周波数帯域中で接続応答を送信することによって応答すればよい。接続を確立した後、BSは、UL通信にNR周波数帯域を使うようにUEを再構成するか、またはUL通信にLTE UL周波数帯域を使い続けるようにUEを構成し得る。いくつかの実施形態では、NR BSは、LTE UL周波数帯域へのアクセスを得るために、LTEネットワークと交渉または協調すればよい。
【００２５】
図1は、本開示の実施形態によるワイヤレス通信ネットワーク100を示す。ネットワーク100は、BS105、UE115、およびコアネットワーク130を含む。ネットワーク100は、セルラーネットワークまたは非セルラーワイヤレスネットワークであってよい。たとえば、ネットワーク100は、LTEネットワーク、LTE-Aネットワーク、ミリメートル波(mmW)ネットワーク、新無線(NR)ネットワーク、5Gネットワーク、またはLTEに対するどの他の後継ネットワークであってもよい。代替として、ネットワーク100は、LTEとNRの両方など、複数の無線アクセス技術(RAT)をサポートする統合ネットワークであってよい。BS105は、UE115と通信する局であってよく、基地トランシーバ局、ノードB、発展型ノードB(eノードBもしくはeNB)または次世代ノードB(gNB)、アクセスポイントなど呼ばれることもある。
【００２６】
BS105は、1つまたは複数のBSアンテナを介して、UE115とワイヤレスに通信することができる。各BS105は、それぞれの地理的カバレージエリア110向けの通信カバレージを提供し得る。3GPPでは、「セル」という用語は、この用語が使用される文脈に応じて、カバレージエリアにサービスするBSおよび/またはBSサブシステムのこの特定の地理的カバレージエリアを指すことがある。この点について、BS105は、マクロセル、ピコセル、フェムトセル、および/または他のタイプのセルのための通信カバレージを提供してよい。マクロセルは、一般に、比較的大きい地理的エリア(たとえば、半径数キロメートル)をカバーし、ネットワークプロバイダのサービスに加入しているUEによる無制限アクセスを可能にし得る。ピコセルは、概して、比較的小さい地理的エリアをカバーし得、ネットワークプロバイダを伴うサービスに加入しているUEによる無制限アクセスを可能にし得る。フェムトセルも、概して、比較的小さい地理的エリア(たとえば、自宅)をカバーし得、無制限アクセスに加えて、フェムトセルとの関連付けを有するUE(たとえば、限定加入者グループ(CSG)の中のUE、自宅の中のユーザ用のUEなど)による制限付きアクセスも提供し得る。
【００２７】
マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示す例では、BS105a、105b、および105cは、それぞれカバレージエリア110a、110b、および110cに対するマクロBSの例である。BS105dは、カバレージエリア110d用のピコBSまたはフェムトBSの例である。認識されるように、BS105は、1つまたは複数(たとえば、2つ、3つ、4つなど)のセルをサポートすることができる。
【００２８】
ネットワーク100に示された通信リンク125は、UE115からBS105へのアップリンク(UL)送信、またはBS105からUE115へのダウンリンク(DL)送信を含む場合がある。UE115は、ネットワーク100全体にわたって分散している場合があり、各UE115は固定またはモバイルである場合がある。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115はまた、携帯電話、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、あらゆるモノのインターネット(IoE)デバイス、マシンタイプ通信(MTC)デバイス、電化製品、自動車などであってもよい。
【００２９】
BS105は、コアネットワーク130と、および互いと通信し得る。コアネットワーク130は、ユーザ認証、アクセス許可、追跡、インターネットプロトコル(IP)接続、および他のアクセス機能、ルーティング機能、またはモビリティ機能を提供し得る。(たとえば、eNBもしくはアクセスノードコントローラ(ANC)の例であり得る)BS105のうちの少なくともいくつかは、バックホールリンク132(たとえば、S1、S2など)を通してコアネットワーク130とインターフェースすることができ、UE115との通信のための無線構成およびスケジューリングを実施することができる。様々な例では、BS105は、ワイヤードまたはワイヤレス通信リンクであってよいバックホールリンク134(たとえば、X1、X2など)を介して、直接または間接的に(たとえば、コアネットワーク130を通して)のいずれかで、互いに通信し得る。
【００３０】
各BS105はまた、いくつかの他のBS105を通して、いくつかのUE115と通信することができ、ここで、BS105はスマート無線ヘッドの例であり得る。代替構成では、各BS105の様々な機能が、様々なBS105(たとえば、無線ヘッドおよびANC)に分散されるか、または単一のBS105に集約されることがある。
【００３１】
いくつかの実装形態では、ネットワーク100は、ダウンリンク上で直交周波数分割多重化(OFDM)を、およびUL上でシングルキャリア周波数分割多重化(SC-FDM)を使用する。OFDMおよびSC-FDMは、システム帯域幅を、一般にトーン、ビンなどとも呼ばれる複数(K個)の直交サブキャリアに区分する。各サブキャリアは、データで変調され得る。一般に、変調シンボルは、OFDMでは周波数ドメインにおいて、SC-FDMでは時間ドメインにおいて送られる。隣接するサブキャリア間の間隔は固定される場合があり、サブキャリアの総数(K)は、システム帯域幅に依存し得る。システム帯域幅はまた、サブバンドに区分され得る。
【００３２】
ある実施形態では、BS105は、ネットワーク100内のDLおよびUL送信用の(たとえば、時間周波数リソースブロックの形の)送信リソースを割り当てるか、またはスケジュールすることができる。DLは、BS105からUE115への送信方向を指し、ULは、UE115からBS105への送信方向を指す。通信は、無線フレームの形をしていてよい。無線フレームは、複数のサブフレーム、たとえば、約10個に分割される場合がある。各サブフレームは、複数のスロット、たとえば、約2個に分割される場合がある。周波数分割二重化(FDD)モードでは、同時ULおよびDL送信が、異なる周波数帯域内で発生する場合がある。たとえば、各サブフレームは、UL周波数帯域中にULサブフレームを、およびDL周波数帯域中にDLサブフレームを含み得る。時分割二重化(TDD)モードでは、ULおよびDL送信は、同じ周波数帯域を使用して異なる時間期間において発生する。たとえば、無線フレーム内のサブフレーム(たとえば、DLサブフレーム)のサブセットがDL送信のために使用されてよく、無線フレーム中のサブフレーム(たとえば、ULサブフレーム)の別のサブセットがUL送信のために使用されてよい。
【００３３】
DLサブフレームおよびULサブフレームは、いくつかの領域にさらに分割され得る。たとえば、各DLまたはULサブフレームは、基準信号、制御情報、およびデータの送信のためのあらかじめ規定された領域を有し得る。基準信号は、BS105とUE115との間の通信を容易にする所定の信号である。たとえば、基準信号は、特定のパイロットパターンまたは構造を有することができ、ここでパイロットトーンは動作可能な帯域幅または周波数帯域にまたがる場合があり、各パイロットトーンはあらかじめ規定された時間およびあらかじめ規定された周波数に位置決めされる。たとえば、BS105は、UE115がDLチャネルを推定するのを可能にするために、セル固有基準信号(CRS)および/またはチャネル状態情報-基準信号(CSI-RS)を送信することができる。同様に、UE115は、BS105がULチャネルを推定するのを可能にするために、サウンディング基準信号(SRS)を送信することができる。制御情報は、リソース割り当ておよびプロトコル制御を含み得る。データは、プロトコルデータおよび/または動作データを含み得る。いくつかの実施形態では、BS105およびUE115は、自蔵式サブフレームを使って通信し得る。自蔵式サブフレームは、DL通信用の部分およびUL通信用の部分を含み得る。自蔵式サブフレームは、DL中心またはUL中心であってよい。DL中心サブフレームは、DL通信用に、UL通信よりも長い持続時間を含み得る。UL中心サブフレームは、UL通信用に、DL通信よりも長い持続時間を含み得る。
【００３４】
ある実施形態では、ネットワーク100にアクセスすることを試みるUE115は、BS105からの1次同期信号(PSS)を検出することによって初期セル探索を実施し得る。PSSは、周期タイミングの同期を可能にすることがあり、物理レイヤ識別情報値を示すことがある。UE115は、次いで、2次同期信号(SSS)を受信し得る。SSSは、無線フレーム同期を可能にし得、セルを識別するために物理レイヤ識別情報値と組み合わされ得るセル識別情報値を提供し得る。SSSはまた、複信モードおよびサイクリックプレフィックス長の検出を可能にし得る。TDDシステムなどの一部のシステムは、SSSを送信するが、PSSを送信しないことがある。PSSとSSSの両方は、それぞれ、キャリアの中心内にあり得る。
【００３５】
PSSおよびSSSを受信した後、UE115は、物理ブロードキャストチャネル(PBCH)内で送信され得るマスタ情報ブロック(MIB)を受信することができる。MIBは、システム帯域幅情報と、システムフレーム番号(SFN)と、物理ハイブリッドARQインジケータチャネル(PHICH)構成とを含み得る。MIBを復号した後、UE115は、1つまたは複数のシステム情報ブロック(SIB)を受信することができる。たとえば、SIB1は、セルアクセスパラメータと、他のSIBのためのスケジューリング情報とを含み得る。SIB1を復号することは、UE115がSIB2を受信することを可能にし得る。SIB2は、ランダムアクセスチャネル(RACH)手順、ページング、物理アップリンク制御チャネル(PUCCH)、物理アップリンク共有チャネル(PUSCH)、電力制御、SRS、およびセル禁止に関する無線リソース構成(RRC)構成情報を含み得る。MIBおよび/またはSIBを取得した後、UE115は、BS105との接続を確立するためのランダムアクセス手順を実施することができる。接続を確率した後、UE115およびBS105は通常動作段階に入ることができ、ここで動作データが交換されてよい。
【００３６】
いくつかの実施形態では、ネットワーク100は、LTEとNRの両方をサポートする統合ネットワークであってよい。そのような実施形態では、ネットワーク100は、LTEスペクトルまたはLTEコンポーネントキャリアおよびNRスペクトルまたはNRコンポーネントキャリアを介して動作することができる。LTEスペクトルは、1GHzを下回る低周波数帯域および約1GHzから約3GHzの間である中間周波数帯域を含み得る。NRスペクトルは、6GHz未満の周波数帯域およびミリメートル波帯域を含み得る。BS105は、LTE BSおよびNR BSを含み得る。いくつかの実施形態では、LTE BSおよびNR BSは共置されてよい。たとえば、BS105は、LTEおよびNR用に異なるソフトウェア構成要素またはスタックを実行することによって、LTEとNRの両方を実装するのに、同じハードウェアを利用することができる。さらに、UE115は、スタンドアロンLTEデバイスおよびスタンドアロンNRデバイスを含み得る。スタンドアロンLTEデバイスは、LTE接続性をサポートすることはできるが、NRをサポートすることはできない。逆に、スタンドアロンNRデバイスは、NR接続性はサポートすることはできるが、LTEをサポートすることはできない。代替として、いくつかのUE115は、二重LTE-NR接続性をサポートしてよい。接続性の様々な組合せのための通信機構および周波数帯域プランについて、本明細書においてより詳細に記載する。
【００３７】
図2は、本開示の実施形態による、例示的なワイヤレス通信デバイス200、たとえばUE200のブロック図である。UE200は、上記で説明したUE115であり得る。図示のように、UE200は、プロセッサ202と、メモリ204と、PBCH処理モジュール208と、モデムサブシステム212および無線周波数(RF)ユニット214を含むトランシーバ210と、アンテナ216とを含み得る。これらの要素は、たとえば1つまたは複数のバスを介して互いに直接的または間接的に通信していることがある。
【００３８】
プロセッサ202は、中央処理ユニット(CPU)、デジタル信号プロセッサ(DSP)、特定用途向け集積回路(ASIC)、コントローラ、フィールドプログラマブルゲートアレイ(FPGA)デバイス、別のハードウェアデバイス、ファームウェアデバイス、または、本明細書で説明する動作を実施するように構成されたそれらの任意の組合せを含み得る。プロセッサ202はまた、コンピューティングデバイスの組合せ、たとえばDSPとマイクロプロセッサの組合せ、複数のマイクロプロセッサ、DSPコアと連携する1つもしくは複数のマイクロプロセッサ、または任意の他のそのような構成として実装され得る。
【００３９】
メモリ204は、キャッシュメモリ(たとえば、プロセッサ202のキャッシュメモリ)、ランダムアクセスメモリ(RAM)、磁気抵抗RAM(MRAM)、読取専用メモリ(ROM)、プログラマブル読取専用メモリ(PROM)、消去可能プログラマブル読取専用メモリ(EPROM)、電気的消去可能プログラマブル読取専用メモリ(EEPROM)、フラッシュメモリ、ソリッドステートメモリデバイス、ハードディスクドライブ、他の形の揮発性および不揮発性のメモリ、または異なるタイプのメモリの組合せを含むことができる。いくつかの実施形態では、メモリ204は、非一時的コンピュータ可読媒体を含むことができる。メモリ204は、命令206を記憶することができる。命令206は、プロセッサ202によって実行されると、本開示の実施形態に関してUE115を参照して本明細書で説明する動作をプロセッサ202に実施させる命令を含み得る。命令206は、コードと呼ばれることもある。「命令」および「コード」という用語は、すべてのタイプのコンピュータ可読ステートメントを含む場合がある。たとえば、「命令」および「コード」という用語は、1つまたは複数のプログラム、ルーチン、サブルーチン、関数、プロシージャなどを指す場合がある。「命令」および「コード」は、単一のコンピュータ可読ステートメントまたは多くのコンピュータ可読ステートメントを含み得る。
【００４０】
PBCH処理モジュール208は、本開示の様々な態様のために使われ得る。たとえば、PBCH処理モジュール208は、情報ブロックブロードキャストを求めてネットワークをリッスンする、たとえば、監視するように構成される。PBCH処理モジュール208は、ネットワーク、たとえば、NRネットワークからトランシーバ210によって受信された、情報ブロック、システム情報ブロックまたはマスタ情報ブロックを復号するようにさらに構成される。
【００４１】
たとえば、PBCH処理モジュール208は、本開示の実施形態に従って、受信された情報ブロックを復号する効率を改善することができる。特に、PBCH処理モジュール208は、送信側BS105によって配列された、フィールドの第2のグループの中のデータよりも高頻度で変化するデータをもつフィールドの第1のグループを用いるポーラーコーディングで符号化されている情報ブロックを認識するように構成され得る。
【００４２】
情報ブロック、たとえばMIBが、送信側BS105から受信されると、PBCH処理モジュール208は、受信された情報ブロックのフィールドの第2のグループと、BS105から受信された、より前の情報ブロックからのフィールドの対応する第2のグループの相関を実施することができる。いくつかの実施形態では、この相関は、対数尤度比(LLR)の形である。フィールドの第2のグループはベクトルの形であってよく、フィールドのより前のグループも、同じ長さをもつベクトルの形であってよい(すなわち、各ベクトルは同じ長さである)。LLRは、ポーラーコード化情報ブロックを復号するよりも、UEにとって「安上がりな」動作である(より少ない計算リソースを使う)。
【００４３】
PBCH処理モジュール208は、比較されるフィールドのLLRから判断された、正規化された相関係数など、相関からの結果を閾値と比較するようにさらに構成され得る。閾値は、所望のレベルの攻撃性または保守性に基づいて選ばれてよく、たとえば、より攻撃的閾値は、情報ブロックが十分に復号されないように、閾値を下回るというより多くの判断を可能にすることができ、より保守的な閾値は、ブロックが異なることをより高頻度で見つけ、結果として情報ブロックを復号する。結果が閾値を下回る場合、PBCH処理モジュール208は、フィールドのグループ(フィールドの第1のグループよりも低頻度で変化する第2のグループ)のコードワードが同じである見込みがあると判断してよく、情報ブロックは復号されない。その上、第2のグループの中のものよりも高頻度で変化する、フィールドの第1のグループの中のデータは、(i)第1のグループの中のデータの1つまたは複数の値が変化した場合、および(ii)第2のグループが変化していないことにより、PBCH処理モジュール208が、情報ブロックを復号しないと判断した場合であっても、その第1のグループについての値をUE200が依然として導出することが可能であり得るような、決定性データを含み得る。
【００４４】
そうではなく、相関からの結果が閾値を下回る場合、UE200は、情報ブロックを復号するのを(たとえば、ポーラー符号化情報ブロックに対するポーラー復号によって)続けてよい。復号された情報ブロックは、プロセッサ202によって、初期化および同期を実施するのに使われ得る。いくつかの例では、PBCH処理モジュール208は、プロセッサ202によって実装され得る。相関、比較、閾値、および判断態様に関する追加詳細については、以下の追加図面に関してより詳しく論じる。
【００４５】
図示のように、トランシーバ210は、モデムサブシステム212とRFユニット214とを含み得る。トランシーバ210は、BS105などの他のデバイスと双方向に通信するように構成され得る。モデムサブシステム212は、変調およびコーディング方式(MCS)、たとえば、低密度パリティチェック(LDPC)コーディング方式、ターボコーディング方式、畳み込みコーディング方式、デジタルビームフォーミング方式などに従って、メモリ204および/またはPBCH処理モジュール208からのデータを変調および/または符号化するように構成され得る。RFユニット214は、(アウトバウンド送信上の)モデムサブシステム212からの変調/符号化されたデータ、またはUE115などの別のソースから生じる送信の変調/符号化されたデータを処理する(たとえば、アナログデジタル変換またはデジタルアナログ変換などを実施する)ように構成され得る。RFユニット214は、デジタルビームフォーミングと連携してアナログビームフォーミングを実施するようにさらに構成され得る。トランシーバ210内に一緒に統合されるものとして図示されているが、モデムサブシステム212およびRFユニット214は、UE115が他のデバイスと通信することを可能にするためにUE115において一緒に結合された別々のデバイスとすることができる。
【００４６】
RFユニット214は、変調および/または処理されたデータ、たとえば、データパケット(または、より一般的には、1つもしくは複数のデータパケットおよび他の情報を含む場合があるデータメッセージ)を、1つまたは複数の他のデバイスに送信するためにアンテナ216に提供し得る。このことは、たとえば、本開示の実施形態によるチャネル予約信号の送信を含み得る。アンテナ216は、他のデバイスから送信されたデータメッセージをさらに受信し得る。このことは、たとえば、本開示の実施形態によるチャネル予約信号の受信を含み得る。アンテナ216は、受信されたデータメッセージをトランシーバ210での処理および/または復調のために提供してよい。図2は、アンテナ216を単一のアンテナとして図示するが、アンテナ216は、複数の送信リンクを維持するために、同様のまたは異なる設計の複数のアンテナを含むことができる。RFユニット214は、アンテナ216を構成し得る。
【００４７】
図3は、本開示の実施形態による、例示的なBS300のブロック図である。BS300は、上記で説明したBS105であり得る。図示のように、BS300は、プロセッサ302と、メモリ304と、PBCH生成モジュール308と、モデムサブシステム312およびRFユニット314を含むトランシーバ310と、アンテナ316とを含み得る。これらの要素は、たとえば1つまたは複数のバスを介して互いに直接的または間接的に通信していることがある。
【００４８】
プロセッサ302は、特定のタイプのプロセッサとして様々な特徴を有し得る。たとえば、これらは、本明細書で説明する動作を実施するように構成された、CPU、DSP、ASIC、コントローラ、FPGAデバイス、別のハードウェアデバイス、ファームウェアデバイス、またはそれらの任意の組合せを含み得る。プロセッサ302はまた、コンピューティングデバイスの組合せ、たとえばDSPとマイクロプロセッサとの組合せ、複数のマイクロプロセッサ、DSPコアと連携する1つもしくは複数のマイクロプロセッサ、または任意の他のそのような構成として実装され得る。
【００４９】
メモリ304は、キャッシュメモリ(たとえば、プロセッサ302のキャッシュメモリ)、RAM、MRAM、ROM、PROM、EPROM、EEPROM、フラッシュメモリ、固体メモリデバイス、1つもしくは複数のハードディスクドライブ、メモリスタベースアレイ、他の形態の揮発性および不揮発性メモリ、または異なるタイプのメモリの組合せを含み得る。いくつかの実施形態では、メモリ304は非一時的コンピュータ可読媒体を含み得る。メモリ304は、命令306を記憶し得る。命令306は、プロセッサ302によって実行されると、プロセッサ302に、本明細書で説明する動作を実施させる命令を含み得る。
【００５０】
PBCH生成モジュール308は、本開示の様々な態様のために使われ得る。たとえば、PBCH生成モジュール308は、UE115によって(たとえば、UE115によって、ネットワーク、たとえば、NRネットワークと同期するのに)使われ得る情報ブロックを生成するように構成される。PBCH生成モジュール308は、トランシーバ310によってネットワークへ送られ得る情報ブロックをさらに符号化することができる。
【００５１】
本開示の実施形態によると、PBCH生成モジュール308は、高頻度で変化するビットを情報ブロック中のフィールドの第1のグループの中に、および高頻度では変化しないビットを情報ブロック中のフィールドの第2のグループの中に配列するように、情報ブロック(たとえば、MIB)用のビットフィールドを配列するように構成される。フィールドの第1のグループは、たとえば、システムフレーム番号(SFN)、巡回冗長検査(CRC)フィールド、ビームインデックス、および/または任意の組合せでの他のフィールドなど、(たとえば、あるフレームから別のフレームまでに)高頻度で変化する値を含み得る。フィールドの第2のグループは、たとえば、システム帯域幅情報(すなわち、ダウンリンクチャネル帯域幅)、物理ハイブリッドARQインジケータチャネル(PHICH)構成、PHICH持続時間、PHICHリソース、および/または任意の組合せでの他のフィールドなど、(仮にそうであるとしても)まれに変化する値を含み得る。これにより、本開示の実施形態に従って、受信端における情報ブロックの監視および/または復号の効率が改善する。
【００５２】
いくつかの例では、PBCH生成モジュール308は、ポーラーコーディングを使って、情報ブロックを符号化することができる。情報ブロックは、システム情報ブロックおよびマスタ情報ブロックを含んでよく、図5に関して記載され、情報ブロックの符号化については、図6〜図9に関して記載される。いくつかの例では、PBCH生成モジュール308は、プロセッサ302によって実装され得る。
【００５３】
図示のように、トランシーバ310は、モデムサブシステム312とRFユニット314とを含み得る。トランシーバ310は、UE115および/または別のコアネットワーク要素などの他のデバイスと双方向に通信するように構成され得る。モデムサブシステム312は、MCS、たとえば、LDPCコーディング方式、ターボコーディング方式、畳み込みコーディング方式、ポーラーコーディング方式、デジタルビームフォーミング方式などに従って、データを変調および/または符号化するように構成され得る。RFユニット314は、(アウトバウンド送信上の)モデムサブシステム312からの変調/符号化されたデータ、またはUE115などの別のソースから生じる送信の変調/符号化されたデータを処理する(たとえば、アナログデジタル変換またはデジタルアナログ変換などを実施する)ように構成され得る。RFユニット314は、デジタルビームフォーミングと連携してアナログビームフォーミングを実施するようにさらに構成され得る。トランシーバ310内に一緒に統合されるものとして示されているが、モデムサブシステム312およびRFユニット314は、BS105が他のデバイスと通信することを可能にするためにBS105において一緒に結合された別々のデバイスとすることができる。
【００５４】
RFユニット314は、変調および/または処理されたデータ、たとえば、データパケット(または、より一般的には、1つもしくは複数のデータパケットおよび他の情報を含む場合があるデータメッセージ)を、1つまたは複数の他のデバイスに送信するためにアンテナ316に提供し得る。このことは、たとえば、情報、たとえば、ネットワークへの付属を完了するように並べ替えられたビットフィールドをもつ情報ブロックの送信、および本開示の実施形態に従ってキャンプしたUE115との通信を含み得る。アンテナ316は、他のデバイスから送信されるデータメッセージをさらに受信し、受信されたデータメッセージをトランシーバ310における処理および/または復調のために提供し得る。図3は、アンテナ316を単一のアンテナとして示すが、アンテナ316は、複数の送信リンクを維持するために、類似のまたは異なる設計の複数のアンテナを含み得る。
【００５５】
図4は、本開示の実施形態による、例示的なUEによって監視を実施するための方法のシグナリング図400を示す。方法400のアクションは、UE115および200など、ワイヤレス通信デバイスのコンピューティングデバイス(たとえば、プロセッサ、処理回路、および/または他の適切な構成要素)によって実行され得る。図示のように、方法400はいくつかの列挙されるアクションを含むが、方法400の実施形態は、列挙されるステップの前、後、およびアクション間に追加アクションを含んでよい。いくつかの実施形態では、列挙されるアクションのうちの1つまたは複数は、省略され、または異なる順序で実施されてよい。方法400は、説明を簡単にするために1つのNR BSおよび1つのスタンドアロンNR UEを示すが、本開示の実施形態がより多くのUEおよび/またはBSにスケーリングし得ることが認識されよう。
【００５６】
アクション410において、NRネットワーク(たとえば、図1のネットワーク100)のUE402は、時間期間(i)において、BS404によってブロードキャストされたNRネットワークに関連付けられたマスタ情報ブロック(MIB)(i)を受信する。マスタ情報ブロックは、たとえば、システム帯域幅情報、システムフレーム番号(SFN)、および物理ハイブリッドARQインジケータチャネル(PHICH)構成データを含み得る。マスタ情報ブロックは、巡回冗長検査(CRC)などの誤り検出コードも含み得る。いくつかの例では、マスタ情報ブロックはBS404によって符号化され、受信されたマスタ情報ブロックはUE402によって復号される。いくつかの例では、UE402は、復号された情報ブロックを使って、NRネットワークと同期することができる。
【００５７】
アクション415において、NRネットワークのUE402は、BS404からのブロードキャストをリッスンする。いくつかの実施形態では、BS404は、更新されたマスタ情報ブロックを定期的にブロードキャストする。たとえば、第1の時間期間(i)中に、BS404は、第1のマスタ情報ブロックをブロードキャストし、第2の時間期間(i+1)中の、どの時間期間であってもよい後の期間に、BS404は、第1のマスタ情報ブロックとは異なる第2のマスタ情報ブロックをブロードキャストする。いくつかの例では、第1および第2の時間期間の間に、マスタ情報ブロックのSFNおよびCRCパラメータのみが変化し得る(および/またはビームインデックスなど、他のパラメータ)。いくつかの例では、マスタ情報ブロックの各パラメータは、1つまたは複数のビットである。本開示の実施形態によると、後続情報ブロック(たとえば、この例ではマスタ情報ブロック)が受信される度に、UE402は、(第2の時間期間i+1中の)新たに受信された情報ブロックのフィールドの第2のグループ(符号化および送信に先立って、BS404によってグループ化された、まれに変化するデータをもつフィールドに対応する)を、先行期間(より前の時間期間i)からのフィールドの同じグループと比較して、図2に関して、さらに以下の後続図面に関して上述したように、それらが異なるかどうかを判断することができる。
【００５８】
アクション420において、MIBを取得した後、UE402は、ランダムアクセス手順を実施して、NRネットワークのBS404との接続を確立することができる。接続を確率した後、UE402およびBS404は通常動作段階に入ることができ、ここで動作データが交換されてよい。いくつかの例では、通常動作は、BS404が、UE402に対してデータを要求すること、およびUE402が要求に応答することを含む。いくつかの例では、通常動作420は、UE402が、BS404に対してデータを要求すること、およびBS404が要求に応答することを含む。
【００５９】
アクション425において、時間期間(i+N)中に、UE402は、BS404によってブロードキャストされるNRネットワークに関連付けられたMIB(i+N)を受信し得る。いくつかの例では、UE402は、MIB(i+N)を使って、NRネットワークと同期し直すことができる。繰返しになるが、本開示の実施形態によると、UE402は、図2に関して上述したように、および以下の後続図面に関してさらに述べるように、MIB(i+N)をもつフィールドの第2のグループを、MIB(i+N-1)、または必要に応じて、前の時間期間からの別のMIBをもつフィールドの対応するグループと比較して、それらが異なるかどうかを判断することができる。
【００６０】
アクション430において、NRネットワークのUE402は、BS404からのブロードキャストをリッスンする。いくつかの例では、BS404は、同じマスタ情報ブロックのブロードキャストを繰り返す。たとえば、時間期間(i+N)に起こるアクション425におけるMIB(i+N)のブロードキャストの間の期間405に示すように、BS404は、MIB(i+N)のブロードキャストを(単なる一例として)3回繰り返す。
【００６１】
アクション435において、次の時間期間(i+N+1)中に、UE402は、BS404によってブロードキャストされるNRネットワークに関連付けられたMIB(i+N+1)を受信し得る。繰返しになるが、本開示の実施形態によると、UE402は、図2に関して上述したように、および以下の後続図面に関してさらに述べるように、MIB(i+N)をもつフィールドの第2のグループを、MIB(i+N-1)、または必要に応じて、前の時間期間からの別のMIBをもつフィールドの対応するグループと比較して、それらが異なるかどうかを判断することができる。
【００６２】
アクション440において、NRネットワークのUE402は、上述したアクションと同様に、BS404からのブロードキャストをリッスンする。
【００６３】
図5は、本開示の実施形態による、例示的なマスタ情報ブロック500のビット構造のブロック図である。図5に示す例示的な構造は、より全般的には、システム情報ブロックまたはマスタ情報ブロックを含む情報ブロックとともに適用され得る。以下の例は、説明しやすいように、マスタ情報ブロックについて論じる。図5は、高頻度で変化するビットおよび高頻度では変化しないビットのサブブロックの中へのビットの配列を示す。
【００６４】
いくつかの例では、マスタ情報ブロックは、合計Kビットをもつ2つのサブブロック510および520を含む。第1のサブブロック510は、K個の総ビットのうちのM'ビット512を含むことができ、第2のサブブロック520は、K個の総ビットのうちのK-M'ビット522を含むことができる。第1のサブブロック中のビットは、より高頻度で、たとえば、ある時間期間から次の時間期間までに変化する情報(SFN、CRC、ビームインデックス、予約済みフィールド0、および/または他のパラメータなど)を表し得る。サブブロック510は、本開示の実施形態に関して、(ビットの)フィールドの第1のグループとしても記述される。
【００６５】
第2のサブブロック520中のビットは、第1のサブブロックよりも低頻度で変化する情報(セル基本物理レイヤパラメータ、SU-1スケジューリング情報、予約フィールド1、および/または他のパラメータなど)を表すことができ、たとえば、ある時間期間から次の時間期間までに変化しない場合がある(たとえば、いくつかの時間期間は同じままであり得る)。サブブロック520は、本開示の実施形態に関して、(ビットの)フィールドの第2のグループとしても記述される。したがって、第1のサブブロック510のビット512は、ある時間期間から次の時間期間までに変化する場合があり、第2のサブブロック520のビット522は、ある時間期間から次の時間期間まで同じままであり得る。他の箇所に記すように、マスタ情報ブロック500は、BS(たとえば、図1のBS105/図3のBS300)によって、サブブロック510、520を有して配列されてよい。
【００６６】
図6は、本開示の実施形態による、情報ブロックを符号化する例示的なステップ600のブロック図である。方法600のステップは、BS105および300など、ワイヤレス通信デバイスのコンピューティングデバイス(たとえば、プロセッサ、処理回路、および/または他の適切な構成要素)によって実行され得る。図示のように、方法600はいくつかの列挙されるステップを含むが、方法600の実施形態は、列挙されるステップの前、後、およびステップ間に追加ステップを含んでよい。いくつかの実施形態では、列挙されるステップのうちの1つまたは複数は、省略され、または異なる順序で実施されてよい。
【００６７】
ステップ610において、マスタ情報ブロックのビット構造が2つのサブブロックに分割される。サブブロック605は、より高頻度で変化する、たとえばある時間期間から次の時間期間までに変化する情報に関連付けられたM'ビットを含み、サブブロック607は、サブブロック605よりも低頻度で変化する、たとえば、ある時間期間から次の時間期間までに変化しない場合がある情報(たとえば、いくつかの時間期間は同じままであり得る)に関連付けられたK-M'ビットを含む。たとえば、サブブロック605はサブブロック510に対応し、サブブロック607は、図5に関して上で論じたサブブロック520に対応する。
【００６８】
ステップ620において、サブブロック605および607は、マスタ情報ブロック615が合計K個の情報ビットを含み得るように、ひとまとめにされる。たとえば、示すように、サブブロック607のビットが、サブブロック605のビットに連結される。その結果、ビットは、(より低頻度で変化する情報に関連付けられた)サブブロック607のK-M'ビットがひとまとめにされ、(より高頻度で変化する情報に関連付けられた)サブブロック605のM'ビットのサブブロックが続くように編成される。
【００６９】
ステップ630において、マスタ情報ブロック615は、凍結ビット(たとえば、送付側、すなわちBS105と、受信機、すなわちUE115の両方によって知られるように、あらかじめ配列されているビット)をインターリーブされ、Nビットのインターリーブされたブロック625が作成される。凍結ビットは、固定値、たとえば、ゼロにセットされ得る情報は搬送しない。図6に示すように、両方のサブブロック605および607が、凍結ビットをインターリーブされて、それぞれ、両方のサブブロック605iおよび607iを生成する。より高頻度で変化する情報に関連付けられたM'ビットのサブブロック605は、Mビットのサブブロック605iに増大するように、N-M'個の凍結ビットをインターリーブされる。また、サブブロック605よりも低頻度で変化する情報に関連付けられた、K-M'ビットのサブブロック607は、N-Mビットのサブブロック607iに増大するように、N-M'+K-M'個の凍結ビットをインターリーブされる。示すように、より低頻度で変化する情報に関連付けられたN-Mビットと、対応する凍結ビット(サブブロック607i)がひとまとめにされ、より高頻度で変化する情報に関連付けられたMビットが、対応する凍結ビットと一緒に続く(サブブロック605i)。
【００７０】
ステップ640において、インターリーブされたブロック625が符号化され、Nビットの符号化コードワード635が作成される。いくつかの例では、インターリーブされたブロック625を符号化するために、ポーラーコードが使われる。いくつかの例では、サブブロック605および607のK個の情報ビットは、(たとえば、利用可能なもののうち)より信頼できるポーラーコードチャネルに割り当てられてよく、凍結ビットは、(利用可能なもののうち)より信頼できないポーラーコードチャネルに割り当てられてよい。ポーラー符号化の実施については、図7〜図9に関して記載する。
【００７１】
図7は、本開示の実施形態による、自然順序でのシーケンスのポーラー符号化のための例示的なシステム700のブロック図である。いくつかの例では、図7に示すように、符号化は、S1、S2、およびS3として示される3つの段階において行われ得る。いくつかの例では、サブブロック710および720を含む、Nビットのブロック702(図7の第1の、すなわち最も左の列中のブロックを参照)は、図6のインターリーブされたブロック625と一致する。その結果、Mビットをもつサブブロック710は、Mビットをもつサブブロック605iと一致し、N-Mをもつサブブロック720は、N-Mビットをもつサブブロック607iと一致する。さらに、サブブロック712および722を含む、Nビットのブロック704(図7の最後の、すなわち最も右の列中のブロックを参照)は、図6の符号化コードワード635と一致する。
【００７２】
本開示の実施形態によると、段階S1、S2、およびS3は、図7における矢印で示すように、ビットの値を組み合わせる動作で遂行される。たとえば、図7の左上隅にあるサブブロック710の第1のビットは、サブブロック710の第2のビットと組み合わされて、段階S1用の第1の値を生成し得る。組合せは、たとえば、排他的or(XOR)演算であってよい(概して、図7において、ならびに同様に図8および図9において、矢印が別の線と交差するところを参照)。得られた値は、第1のサブブロック710の一部のままである。サブブロックからの他のビットは、図7においてそれぞれの矢印で示すように組み合わされて、段階S1を達成する。
【００７３】
段階S2での情報の生成における、段階S1の後の情報からの矢印は、図7における矢印で示す順序で、XOR演算と同様に組み合わされる。たとえば、第2の列(図中でS1として識別される)の上にある、示されるブロック中の情報は、第2の示されるブロック中の情報とXORされ、第2の示されるブロック中の情報は、第2のサブブロック720の第1の示されるブロック(S1列の、第4の全体的な示されるブロック)中の情報とXORされ、段階S2について示すように、以下同様である。これは、第2のサブブロック720中の情報(すなわち、より低頻度で変化する情報に対応する)への、第1のサブブロック710中の情報の依存をもち込み始める。
【００７４】
段階S2から段階S3まで、サブブロック710に対応する(すなわち、サブブロック720の情報よりも高頻度で変化する情報に対応する)ブロック中の情報は、サブブロック720の第2のブロック(図7の左から第3の列中の上から第4のブロック)からの情報と組み合わされる(すなわち、XORされる)。得られた値は、より高頻度で変化する情報についての値が、他のサブブロック720からのより低頻度で変化する情報への依存を有するように、第1のサブブロック710の一部のままである(すなわち、その情報が、他のサブブロック720のものよりも高頻度で変化するビットに対応する)。サブブロックからの他のビットは、図7においてそれぞれの矢印で示すように組み合わされて、段階S3において符号化情報を達成する。
【００７５】
より全般的には、図7に示すように、システム700は、各段階(S1、S2、S3)において、得られたサブブロック722が、サブブロック710からの情報への依存なしで、サブブロック720に依存するだけであるように設計される。したがって、符号化コードワード704のサブブロック722は、より低頻度で変化する情報に対応する、図6のサブブロック607iのN-Mビットと一致するサブブロック720からの情報に依存するだけである。その結果、サブブロック722によって表されるポーラーコードは、より低頻度で変化する。逆に、サブブロック712は、図6のサブブロック605iおよび607iと一致する、両方のサブブロック710および720からの情報に依存し、したがって、ある時間期間から次の時間期間までに変化し得る。
【００７６】
いくつかの実施形態では、図7に示すように、まれに変化するフィールドのサブブロック720は、これらのフィールドのみがポーラーコードのサブブロック722を生成するように、一緒に配列され得る。したがって、ポーラーコードのサブブロック722も、まれに変化する。
【００７７】
図8は、本開示の実施形態による、自然順序でのシーケンスのポーラー符号化のための例示的なシステム800のブロック図である。図8は、図7に示すものに対する代替実施形態を示す。システム800の符号化の3つの段階は、システム700の3つの段階とは異なるが、演算から得られる符号化コードワード804は、図7の符号化コードワード704と同じである。図8の符号化コードワードは、より低頻度で変化する情報に関連付けられたサブブロックに依存するだけである、符号化コードワード804のサブブロック822を含む(したがって、サブブロック822によって表されるポーラー符号化データは、より低頻度で変化する)。逆に、サブブロック812は、両方のサブブロック810および820(たとえば、それぞれ、図6の605iおよび607iに対応する)に依存し、したがって、ある時間期間から次の時間期間までに変化し得る。
【００７８】
特に、符号化コードワード804を取得する前の様々な段階でビット/情報を組み合わせる順序は、図7に示す組合せ手法とは異なる。(合計Nビットのブロック802からの)サブブロック810および820の異なるビットの間で組み合わされたビットは、第1の段階S1用に、異なるように組み合わされる。たとえば、図8の左上隅にあるサブブロック810の第1のビットは、サブブロック820(左の列中の上から第4のブロック)の第1のビットと組み合わされて、段階S1用の第1の値を生成し得る。組合せは、たとえば、排他的or(XOR)演算であってよい。得られた値は、より高頻度で変化する情報についての値が、他のサブブロック820からのより低頻度で変化する情報への依存を有するように、第1のサブブロック810の一部のままである(すなわち、その情報が、他のサブブロック820のものよりも高頻度で変化するビットに対応する)。サブブロックからの他のビットは、図8においてそれぞれの矢印で示すように組み合わされる。
【００７９】
段階S2での情報の生成における、段階S1の後の情報からの矢印は、図8における矢印で示す順序で、XOR演算と同様に組み合わされる。たとえば、第2の列(図中でS1として識別される)の上にある、示されるブロック中の情報は、第2の示されるブロック中の情報とXORされ、第2の示されるブロック中の情報は、第2のサブブロック820の第1の示されるブロック(S1列の、第4の全体的な示されるブロック)中の情報とXORされ、示すように、以下同様である。
【００８０】
図9は、本開示の実施形態による、逆順でのシーケンスのポーラー符号化のための例示的なシステム900のブロック図である。いくつかの例では、符号化は、たとえば、上の図7および図8に関して論じた段階の数と類似して、3つの段階S1、S2、およびS3において行われ得る。ビット/情報が組み合わされる順序は、上で論じた自然順序実施形態について与えられたものとは、図9の例では異なる。順序は、サブブロック910および920を含むNビットのブロック902で始まる。
【００８１】
たとえば、図9に示すように、図9の左上隅にあるサブブロック910の第1のビットは、サブブロック910の第2のビットと組み合わされて、段階S1用の第1の値を生成し得る。組合せは、やはり、たとえば排他的or(XOR)演算であってよい。得られた値は、第1のサブブロック910の一部のままである。ただし、サブブロック910の第2のビットは、段階S1に対応する第2の列中の上からの第5のブロックとして見えるように示すように、列中で同じ順序で段階S1に進むわけではない。サブブロックからの他のビットは、図9においてそれぞれの矢印で示すように組み合わされて、段階S1を達成する。
【００８２】
段階S1の異なるブロックの情報は、示すように組み合わされて、図9にさらに示すように、段階S2のブロックの情報を達成する。特に、図9の実施形態に従って情報が組み合わされる順序は、段階S2からS3までの組合せ(すなわち、XOR)を生じ、ここで、サブブロック910のビットからの情報よりも低頻度で変化する情報用のサブブロック920のビットから発した情報を識別するようにシェーディングされている、S2の列の第2の情報ブロックは、S2の列の第1の情報ブロックをもつ情報とXORされる。組合せは、図9に示すように、S2からS3まで続いて、符号化コードワード904を達成する。
【００８３】
符号化コードワード904はサブセット922を含み、これは、連続ではないが、より低頻度で変化する情報に関連付けられたビットのサブブロック920に依存するだけである。したがって、サブセット922によって表されるポーラーコードは、より低頻度で変化する。逆に、サブセット912は、図6のサブブロック605iおよび607iの両方に依存し、したがって、ある時間期間から次の時間期間までに変化し得る。図9において識別される順序は、図8の順序が、図7に示すものをどのように反転するかに類似して、それ自体も反転されてよく、同じ結果(すなわち、入力および出力)が取得される。
【００８４】
復号コンテキストにおいて、受信側通信デバイス(たとえば、UE)は通常、図9における矢印によって(および、概して、図7〜図9の各々に)示されるものの逆順に従う。特に、図9の実施形態によるポーラー符号化シーケンスを使うとき、段階S3における、得られた符号化ブロックは、コードワード904全体がLLRを算出させ、閾値と比較させていることを求めることなく、ペアごとに分析され(たとえば、LLRが算出され、閾値と比較され)得る。言い換えると、図9のS3列の上にある最初の2つのブロックを見ると、LLR値は、これらのブロックについて判断されてよく、それらが関連閾値を超える場合、UEは、コードワード904すべてに対するバッファ全体を最初に満たすために待つ必要なく、S2列中の最初の2つのブロックの値の判断に進んでよい。こうすることにより、UEは、並列パイプライン構造で動作することが可能になり、復号動作の効率および速度がさらに改善する。
【００８５】
図7〜図9に示すように、ポーラー符号化は、3つの段階において実施されるものとして示されている。いくつかの例では、ポーラーコーディングは、4、5、6、7、または8つの段階において実施されてよく、最後の段階におけるポーラーコードは、本開示の実施形態に従って、第2のサブブロック中の情報よりも高頻度で変化する情報を有する第1のサブブロックを含み得る。
【００８６】
いくつかの実施形態では、図2のUE200からのトランシーバ210などの受信機が、符号化マスタ情報ブロックを受信し得る。説明のための例として図7に関して示すように、符号化マスタ情報ブロックは、第1のサブブロック712および第2のサブブロック722を含み得る。第1のサブブロック712は、第2のサブブロック722よりも高頻度で変化する情報を含み得る。いくつかの例では、受信機は、次の符号化マスタ情報ブロックを受信し得る。次の符号化マスタ情報ブロックも、第2のサブブロック722よりも高頻度で変化する情報を第1のサブブロック712が含み得るような第1のサブブロック712および第2のサブブロック722を含み得る。第1のサブブロックおよび第2のサブブロックは、図8および図9の、それぞれ、サブブロック812/912および822/922に関して同様に記述され得る。UE200は次いで、この情報を、閾値およびそこからとられるアクションに関して、上で、および以下でより詳しく述べるように分析すればよい。
【００８７】
図10は、本開示の実施形態による、マスタ情報ブロック(MIB)を復号するための例示的なシステム1000のブロック図である。システム1000は、UE115および200などのUE中に含まれ得る。いくつかの例では、システム1000の復調ユニット1005、ポーラー復号ユニット1010、相関ユニット1020、閾値比較ユニット1025、更新ユニット1030、およびポーラー復号ユニット1035は、UE200(図2)のプロセッサ202および/またはPBCH処理モジュール208によって実装される。
【００８８】
システム1000は、時間期間(i)中にPBCH信号1002を受信し得る復調ユニット1005を含み、受信されたPBCH信号1002は、本開示の実施形態による符号化MIB(すなわち、より高頻度で変化するか、またはより低頻度で変化する情報をもつサブブロックが配列されたビットフィールド)を含み得る。復調ユニット1005は、受信されたPBCH信号1002を復調することができ、符号化ブロックの対数尤度比(LLR)に関連付けられた1つまたは複数のビットを含むコードワード中で、符号化MIB1004を生成することができる。
【００８９】
システム1000は、符号化MIB1004を受信して、時間期間(i)に対応するMIB1006を生成し得るポーラー復号ユニット1010をさらに含む。いくつかの実施形態では、PBCH信号1002は、BS105および300などのBSによって、通信チャネル、たとえば、PBCHを通して送信され、UE115/200のトランシーバ210などの受信機によって受信される。したがって、ノイズは、PBCH信号1002の送信および受信に関連付けられる場合があり、したがって、MIB1006は、元来、BS105/300によって送信されたMIBの推定であってよい。生成された、すなわち、推定されたMIB1006は、UEによって、時間期間(i)におけるUEを、図1のネットワーク100などのネットワークと同期させるのに使われ得る。ポーラー復号ユニット1010は、MIB1006を生成するとき、凍結ビットを削除してよい。
【００９０】
Nが1に等しいかまたはそれよりも大きい整数である時間期間(i+N)において、同じ復調ユニット1005であってよい復調ユニット1015が、別のPBCH信号1008を受信し得る。受信されたPBCH信号1008は、時間期間(i+N)に関連付けられた符号化MIBを含み得る。復調ユニット1015は、受信されたPBCH信号1008を復調することができ、コードワード中で、時間期間(i+N)に関連付けられた符号化MIB1012を生成することができる。
【００９１】
時間期間(i+N)において、相関ユニット1020は、時間期間(i)の符号化MIB1004を、時間期間(i+N)の符号化MIB1012と比較する、たとえば、相関させてよく、合致する値、たとえば、比較データ1021を生成することができる。上記のように、符号化MIB1004および1012などの各符号化情報ブロックは、第2のサブブロックよりも高頻度で変化する第1のサブブロックを含み得る。いくつかの例では、相関ユニット1020は、符号化MIB1004および1012の第2のサブブロック(したがって、第1のサブブロックを含まない)を比較すればよく、時間期間(i)および時間期間(i+N)に関連付けられた第2のサブブロックを比較したこと、たとえば、相関させたことに基づいて、比較値を生成することができる。
【００９２】
比較値は、たとえば、正規化された相関係数(以下の式1におけるNCC)を含むいくつかのやり方で判断され得る。この手法では、第2のサブブロックからのフィールドの各々は、各時間期間(i、およびi+N)からの互いと比較されて、正規化された相関係数に達する。これは、次のように、式1に示される。
【００９３】
【数１】
2020522911.tif 000003
【００９４】
式1の例では、値iはコードワード中のインデックスであり、Nはコードワードの全長であり、XおよびYは、2つの時間期間の間のコードワード中の所与のインデックスについてのLLRである(たとえば、Xは時間期間iからであり、Yは時間期間i+Nからである)。これは、例のためだけである。どのような手法であっても、相関ユニット1020は、以下で詳述する使用のための比較値(NCCなど)を判断する。
【００９５】
比較値は、閾値および比較ユニット1025上に渡され、閾値および比較ユニット1025は、比較値を所定の閾値と比較すればよい。閾値および比較ユニット1025は、比較値が所定の閾値未満である場合、符号化MIB1004および1012の第2のサブブロックの間に「合致」が存在すると決定してよく(すなわち、ここで使われるように、「合致」は、2つのサブブロックのベクトルの間の差が閾値未満であるという判断を指し、差が、データ自体の差ではなく、送信中のノイズ摂動により起こり得ることを示す)。合致が存在する場合、比較ユニット1025の出力値1014は、合致を更新ユニット1030に対して示し得る。合致の指示の結果、UEは、第2のサブブロック中の情報が変化していないという判断に基づいて、符号化MIB1012のいずれも、完全には復号しないと判断してよい。MIB1012の第1のサブブロックから、間隔中に変化している見込みがより高い情報を依然として取得するために、UEは、その中に含まれるデータ(たとえば、SFN、ビームインデックス、およびCRC)の決定性の知識に基づいて、これらの値を算出すればよい。
【００９６】
いくつかの例では、閾値および比較ユニット1025は、符号化MIB1004および1012の第2のサブブロックの間に合致が存在しないと判断する場合がある。閾値および比較ユニット1025は、この状況において、合致の欠如を示すための出力値1016を生成するのではなく、出力値1016をポーラー復号ユニット1035に入力すればよい。次いで、ポーラー復号ユニット1035は、符号化MIB1012全体を復号して、時間期間(i+N)におけるMIB1018を生成することができる。
【００９７】
同期フェーズを通るUEは、アイドル状態において、PBCH信号を常時、および繰り返し復号することを求められる場合があり、これにより、特にURLLCおよび/またはmMTCケースにおいて、復号レイテンシ、効率の損失、および電力消費が引き起こされる場合がある。論じるように、UEにおいて、符号化MIB1012から、時間期間(i+N)おけるMIB1018を生成することは、緩やかに変化する部分(図5および図6の「第2のサブブロック」)を相関させること、また、相関値が閾値を下回る場合は、前に復号された第2のサブブロックからの同じデータを維持すること、ならびに時間に伴う既知の関係に基づいて、第1のサブブロックからの情報に決定的に達することによって遂行され得る。この手法により、電力が抑えられ、UEのレイテンシが改善される。
【００９８】
論じるように、PBCH信号の送信および受信はノイズを伴い、したがって、閾値および比較ユニット1025の所定の閾値は、送信および受信のノイズレベルを判断したことに基づいて、判断され、たとえば、算出され得る。その結果、閾値は、判断されたノイズレベルとシステム目的(たとえば、所望のレベルの攻撃性または保守性)の両方により変化し得る。たとえば、より攻撃的な閾値は、情報ブロックが十分に復号されないように、閾値を下回るというより多くの判断を可能にすることができ、より保守的な閾値は、ブロックが異なることをより高頻度で見つけ、結果として情報ブロックを復号する。
【００９９】
いくつかの実施形態では、図2のトランシーバ210などの受信機が、第2のサブブロックよりも高頻度で変化する情報を第1のサブブロックが含み得るような第1のサブブロックおよび第2のサブブロックを含む第1の符号化MIB1002を受信し得る。いくつかの例では、受信機は、第3のサブブロックが、第4のサブブロックよりも高頻度で変化する情報を含み得るような、第1のサブブロックに関連付けられた第3のサブブロックと、第2のサブブロックに関連付けられた第4のサブブロックとを含む第2の符号化MIB1008を受信し得る。いくつかの実施形態では、第2のサブブロックと第4のサブブロックとの間の相関値が、図10の相関ユニット1020によって判断される。いくつかの実施形態では、第2の符号化MIB1012の第4のサブブロックは、相関を判断したことに基づいて復号され、すなわち、値は、閾値を上回ることがわかる。いくつかの例では、第3のサブブロックは、他のパラメータの中でも特に、システムフレーム番号(SFN)および巡回冗長検査(CRC)を含み得る。復号は、図11のポーラー復号ユニット1035によって実施され得る。
【０１００】
いくつかの実施形態では、第1の符号化情報ブロック1002を受信することは、第1の時間期間(i)中に物理ブロードキャストチャネルから第1の符号化情報ブロック1002を受信することを含み得る。第2の符号化情報ブロック1008を受信することは、第1の時間期間の後の第2の時間期間(i+N)中に物理ブロードキャストチャネルから第2の符号化情報ブロック1008を受信することを含み得る。いくつかの実施形態では、第1の符号化情報ブロック1002および第2の符号化情報ブロック1008は、ポーラーコードに基づいて符号化される。図6〜図9に関して示すように、第2のサブブロックは、第1の符号化情報ブロック1002中の第1のサブブロックに続いてよく、第4のサブブロックは、第2の符号化情報ブロック1008中の第3のサブブロックに続いてよい。いくつかの例では、第1の符号化情報ブロックおよび第2の符号化情報ブロックはジョイント符号化される。
【０１０１】
図11は、本開示の実施形態による、マスタ情報ブロック(MIB)を復号するための例示的なシステム1100のブロック図である。いくつかの例では、システム1100の復調ユニット1005、ポーラー復号ユニット1010、相関ユニット1020、閾値比較ユニット1025、コピーユニット1130、ポーラー復号ユニット1035、修正ユニット1140、およびポーラーエンコーダユニット1145は、UE200(図2)のプロセッサ202および/またはPBCH処理モジュール208によって実装され得る。
【０１０２】
システム1000と同様、システム1100は、時間期間(i)中にPBCH信号1002を受信することができ、PBCH信号1002は、本開示の実施形態による符号化MIB(すなわち、より高頻度で変化するか、またはより低頻度で変化する情報をもつサブブロックが配列されたビットフィールド)を含み得る。やはりシステム1000と同様、システム1100は、UEによって、時間期間(i)におけるUEを、図1のネットワーク100などのネットワークと同期させるのに使われ得る、時間期間(i)に対応するMIB1006を生成することができる。
【０１０３】
さらに、Nは1以上の整数である時間期間(i+N)において、同じ復調ユニット1005であってよい復調ユニット1015が、別のPBCH信号1008を受信し得る。受信されたPBCH信号1008は、時間期間(i+N)に関連付けられた符号化MIBを含み得る。復調ユニット1015は、受信されたPBCH信号1008を復調することができ、コードワード中で、時間期間(i+N)に関連付けられた符号化MIB1012を生成することができる。図6〜図9に関して論じたように、符号化MIB1004および1012の第2のサブブロックは、(時間期間から次の時間期間までに変化し得る)サブブロック605よりも低頻度で変化する、図6のサブブロック607に関連付けられ得る。
【０１０４】
システム1100は、ポーラー復号ユニット1010からの出力と通信する修正ユニット1140をさらに含む。いくつかの実施形態では、システム1100の修正ユニット1140は、時間期間(i)に対応するMIB1006を使って、時間期間(i+N)に対する、修正、たとえば、推定MIBを生成することができる。いくつかの例では、時間期間(i+N)に対する推定MIBは、MIB1006のサブブロック607をコピーすること、およびサブブロック605をさらに予測して、時間期間(i+N)に対する推定MIB1117を生成することによって生成される。次いで、システム1100のポーラーエンコーダユニット1145は、凍結ビットを追加し、ポーラーコーディングを実施して、推定符号化MIB1113の第1のサブブロックを生成することができ、ここで、第2のサブブロックはMIB1004からコピーされる。
【０１０５】
いくつかの例では、システム1100の相関ユニット1020は、推定符号化MIB1113と符号化MIB1012を比較し(たとえば、2つのMIBのそれぞれのLLRを比較して)、比較したこと、たとえば、相関させたことに基づいて比較値を生成することができる。したがって、前に受信されたMIB(1004)を、新たに受信されたMIB(1012)と比較するのではなく、システム1100は、推定MIB1113を、新たに受信されたMIB1012と比較する。
【０１０６】
比較値1121(図10からの比較データ/値1021のような)は、閾値および比較ユニット1025上へ渡される。閾値および比較ユニット1025は、比較値を、図10に関して上で論じたような所定の閾値と比較し得る。閾値および比較ユニット1025は、符号化MIB1012と推定符号化MIB1113との間に「合致」が存在すると(たとえば、図10に関して上で論じたように、すなわち、比較値が所定の閾値を下回ると)決定し得る。合致が存在する場合、閾値および比較ユニット1025の出力値1014は、合致をコピーユニット1130に対して示し得る。したがって、合致に基づいて、コピーユニット1130は、推定MIB1117を、時間期間(i+N)におけるMIB1018として受信し(たとえば、修正ユニット1140から受諾し)得る。繰返しになるが、合致が存在しない場合、ポーラー復号ユニット1035は、符号化MIB1012全体を復号して、時間期間(i+N)におけるMIB1018を生成することができる。
【０１０７】
記載するように、いくつかの例では、UEにおいて、符号化MIB1012から、時間期間(i+N)におけるMIB1018を生成することは、MIBの少なくとも一部分について、システム1100のポーラーエンコーダユニット1145を用いて符号化を実施すること、および次いで、符号化MIB1012と推定符号化MIB1113を相関させることによって遂行され得る場合は復号することを伴わなくてよい。というのは、いくつかの例では、時間期間(i+N)に対する推定MIBは、MIB1006のサブブロック607と、サブブロック607の変化についての予期される情報とを使って、推定MIBのサブブロック607を判断することによって生成されるからである。この手法により、電力が抑えられ、UEのレイテンシが改善される。
【０１０８】
図12は、本開示の実施形態による、例示的なUEによってシステムマスタ情報ブロックを受信する方法1200の流れ図である。方法1200の態様は、上で紹介したUE115および200など、ワイヤレス通信デバイスのコンピューティングデバイス(たとえば、プロセッサ、処理回路、および/または他の適切な構成要素)によって実行され得る。図示のように、方法1200はいくつかの列挙されるステップを含むが、方法1200の実施形態は、列挙されるステップの前、後、およびステップ間に追加ステップを含んでよい。いくつかの実施形態では、列挙されるステップのうちの1つまたは複数は、省略され、または異なる順序で実施されてよい。
【０１０９】
ブロック1210において、ワイヤレス通信デバイスが、本開示の実施形態に従って配列された第1のサブブロックおよび第2のサブブロックを含む第1の符号化情報ブロックを受信する。ワイヤレス通信デバイスは、スタンドアロンNR UEであってよい。いくつかの実施形態では、第1のサブブロックは、第2のサブブロック中の情報よりも高頻度で変化する情報を含む。第1の符号化情報ブロックは、ネットワーク、たとえば、NRネットワークから受信され得る。いくつかの例では、受信することは、たとえば、UE200のトランシーバ210によって実施される。
【０１１０】
ブロック1220において、UEは、第3のサブブロックおよび第4のサブブロックを含む第2の符号化情報ブロックを受信する。第2の符号化情報ブロックは、他の図面に関して上で論じたように、第1の符号化情報ブロックが受信されたときの後に続くときに受信される。第3のサブブロックは、第1のサブブロックに関連付けられ(すなわち、他のサブブロック中のものよりも頻繁に変化する、同じタイプの情報を両方が含むので、互いに対応し)てよく、第4のサブブロックは、第2のサブブロックに関連付けられて(すなわち、第1/第3のサブブロック中のものよりも頻繁に変化しない、同じタイプの情報を両方が含むので、互いに対応して)よい。第2の符号化情報ブロックは、ネットワーク、たとえば、NRネットワークから受信され得る。いくつかの例では、受信することは、たとえば、UE200のトランシーバ210によって実施される。
【０１１１】
いくつかの実施形態では、第1の符号化情報ブロック1002を受信することは、第1の符号化情報ブロックを搬送する第1の信号を受信することを含む。第2の符号化情報ブロック1008を受信することは、第2の符号化情報ブロックを搬送する第2の信号を受信することを含む。
【０１１２】
ブロック1230において、UEは、ブロック1210において受信された第1の信号から、第2のサブブロックについての第1の推定を判断する。UEはまた、ブロック1220において受信された第2の信号から、第4のサブブロックについての第2の推定を判断する。これらは、どの順序で行われてもよく、すなわち、UEは、第1の推定を、ブロック1210の後で受信されたときに(たとえば、第2の信号が受信される前に)判断し、または第2の信号が受信された後で両方の推定を判断することなどができる。
【０１１３】
いくつかの実施形態では、第2のサブブロックの第1の推定を判断することは、復調ユニット1005(図10)によって第1の信号を復調して、第1の符号化MIBと一致する第1の複数の対数尤度比(LLR)1004を生じ、次いで、(情報の第2のサブブロックに対応する)第1の複数のLLRのサブセットを、第2のサブブロックの第1の推定として選択することを含み得る。その上、いくつかの実施形態では、第4のサブブロックの第2の推定を判断することは、復調ユニット1005(図10)によって第2の信号を復調して、第2の複数のLLR1012を生じることと、次いで、(情報の第4のサブブロックに対応する)第2の複数のLLRのサブセットを、第4のサブブロックの第2の推定として選択することとを含み得る。
【０１１４】
さらに、いくつかの実施形態では、第1の複数のLLR1004のサブセットを選択することは、第1の凍結ビットインターリーブ配置に基づいてよく、第2の複数のLLR1012のサブセットの選択は、第2の凍結ビットインターリーブ配置に基づいてよい。代替実施形態では、第1の複数のLLR1004のサブセットを選択することは、第1のビット反転配置に基づいてよく、第2の複数のLLR1012のサブセットを選択することは、第1または第2のビット反転配置に基づいてよい。
【０１１５】
ブロック1240において、UEは、ブロック1230において判断された第1および第2の推定に基づいて、第2のサブブロックと第4のサブブロックとの間の相関値を判断する。相関値は、たとえば、システム1000の相関ユニット1020によって判断されてよく、UE200のPBCH処理モジュール208および/またはプロセッサ202によって実装され得る。それは、たとえば、UEが、閾値との比較に備えて、何らかの正規化値(たとえば、NCC)を相関値として判断することを含み得る。
【０１１６】
ブロック1250において、UEは、ブロック1240において判断された相関値を所定の閾値と比較する。これは、たとえば、閾値比較ユニット1025(図10)によって行われ得る。
【０１１７】
決定ブロック1260において、UEは、所定の閾値と比較される相関値が、閾値を上回るか、それとも下回るかを判断する(いくつかの実施形態では、下回るは、等しいか、または下回るであってよく、他の実施形態では、上回るは、等しいか、または上回るであってよい)。相関値が下回る(または、そのように実装される場合は等しいか、もしくは下回る)場合、方法1200はブロック1270に進む。
【０１１８】
ブロック1270において、UEは、ブロック1250および1260からの、2つが同じである見込みがあるという判断に基づいて、第1の信号からの第2のサブブロックを、第2の信号からの第4のサブブロックとして採用する。言い換えると、UEは第2の信号を復号せず、そうすることによって、他の利益の中でも特に、電力およびレイテンシを抑える。
【０１１９】
ブロック1280において、UEは、第2の信号からの第3のサブブロックを、第1の信号からの既知の第1のサブブロックから導出することによって判断することによって、第2の信号の復号された状況を完了する。これは、UEが、第1のサブブロック中にあるように配列された決定論的値(たとえば、SFN、CRC、ビームインデックスなど)と、第1の信号を受信してから経過した時間期間の数とを知っているので、可能である。
【０１２０】
決定ブロック1260に戻ると、そうではなく、UEが、相関値が所定の閾値を上回る(または、適用可能な実施形態では、等しいか、もしくは上回る)と判断した場合、方法1200はブロック1290に進む。ブロック1290において、UEは、第2および第4のサブブロックが同じではなく、したがって第2のサブブロックは再使用されるべきでないとの判断に応答して、第2の符号化情報ブロックの第4のサブブロックを復号する。復号は、たとえば、システム1000のポーラーデコーダユニット1010または1035のうちの1つによって実施されてよく、UE200のPBCH処理モジュール208および/またはプロセッサ202によって実装されてよい。
【０１２１】
その上、いくつかの実施形態では、UEはまた、たとえば、プロセッサ202によって、またはUE200のPBCH処理モジュール208によって、ポーラーコードに基づいて第3のサブブロックを復号することができる。代替実施形態では、UEは、第2の信号からの第3のサブブロックを、第3のサブブロックを復号することからではなく、第1の信号からの既知の第1のサブブロックから導出することによって判断することができる。いずれにしても、方法1200は、復号/判断された第3のサブブロックと復号された第4のサブブロックを連結して、第2の時間期間中に使うための、復号された情報ブロックを生じることも含み得る。
【０１２２】
いくつかの実施形態では、方法1200は、続いて受信された符号化情報ブロックで継続し得る。たとえば、後で、UEは、第5のサブブロックおよび第6のサブブロックを含む第3の符号化情報ブロックを受信し得る。第5のサブブロックは、第1のサブブロックに関連付けられ(すなわち、他のサブブロック中のものよりも頻繁に変化する、同じタイプの情報を両方が含むので、互いに対応し)てよく、第6のサブブロックは、第2のサブブロックに関連付けられて(すなわち、第1/第5のサブブロック中のものよりも頻繁に変化しない、同じタイプの情報を両方が含むので、互いに対応して)よい。そのようなシナリオでは、方法1200は、第6のサブブロックについての推定を判断する(第2のサブブロックは、すでに上で推定されている)ことと、第2および第6のサブブロックの間の比較値を判断することと、閾値(同じか、または閾値が動的に調節可能な場合は潜在的に異なる値)と比較することと、比較値が、閾値を上回るか、同じか、それとも下回るかに基づいてアクションをとることとを含む、ブロック1230〜1290に関して上で論じたやり方に従えばよい。これは、次の情報ブロックを受信するための、図12のブロック1220に戻る矢印によって示される。
【０１２３】
図13は、本開示の実施形態による、例示的なUEによってマスタ情報ブロックを受信する方法1300の流れ図である。方法1300の態様は、上で紹介したUE115および200など、ワイヤレス通信デバイスのコンピューティングデバイス(たとえば、プロセッサ、処理回路、および/または他の適切な構成要素)によって実行され得る。図示のように、方法1300はいくつかの列挙されるステップを含むが、方法1300の実施形態は、列挙されるステップの前、後、およびステップ間に追加ステップを含んでよい。いくつかの実施形態では、列挙されるステップのうちの1つまたは複数は、省略され、または異なる順序で実施されてよい。
【０１２４】
ブロック1310において、ワイヤレス通信デバイスが、ブロック1210に関して上述したように、第1のサブブロックおよび第2のサブブロックを含む第1の符号化情報ブロックを受信する。ワイヤレス通信デバイスは、スタンドアロンNR UEであってよい。いくつかの実施形態では、第1のサブブロックは、第2のサブブロック中の情報よりも高頻度で変化する情報を含む。第1の符号化情報ブロックは、ネットワーク、たとえば、NRネットワークから受信され得る。いくつかの例では、受信することは、たとえば、UE200のトランシーバ210によって実施される。
【０１２５】
ブロック1320において、UEは、たとえば、第1の符号化情報ブロックを受信した後に続くときに、第3のサブブロックおよび第4のサブブロックを含む第2の符号化情報ブロックを受信する。第3のサブブロックは第1のサブブロックに(すなわち、ブロック1220に関して論じたような対応で)関連付けられてよく、第4のサブブロックは、第2のサブブロックに(すなわち、やはりブロック1220に関して論じたような対応で)関連付けられてよい。第2の符号化情報ブロックは、ネットワーク、たとえば、NRネットワークから受信され得る。いくつかの例では、受信することは、たとえば、UE200のトランシーバ210によって実施される。
【０１２６】
ブロック1330において、UEは、少なくとも(ブロック1310において受信された第1の符号化情報ブロックからの)第2のサブブロックおよび予期される情報に基づいて、第5のサブブロックを判断する。判断は、たとえば、システム1100の修正ユニット1140によって行われてよく、UE200のPBCH処理モジュール208および/またはプロセッサ202によって実装されてよい。
【０１２７】
いくつかの実施形態では、第1の符号化情報ブロック1002を受信することは、第1の符号化情報ブロックを搬送する第1の信号を受信することを含む。いくつかの例では、第5のサブブロックを判断することは、第1の信号から、第2のサブブロックについての第1の推定を判断することと、予期される情報に基づいて第1の推定を更新することと、ポーラーコードに基づいて、更新された第1の推定を符号化して、符号化された推定を生じることとを含む。
【０１２８】
ブロック1340において、UEは、ブロック1310において受信された第1の信号から、第1の信号からの第2のサブブロックについての第1の推定を判断する。UEはまた、ブロック1330において推定された第5のサブブロックから、第5のサブブロックについての第2の推定を判断する。図12のブロック1230に関して記したように、これらの推定は、サブブロック中の値のLLRであってよい。したがって、第2のサブブロックを(ブロック1320において受信された)第4のサブブロックと比較するのではなく、UEは、第2のサブブロックを(ブロック1330において推定された)第5のサブブロックと比較する。
【０１２９】
ブロック1350において、UEは、第2のサブブロックと第5のサブブロックとの間の相関値を判断する。判断することは、たとえば、システム1100の相関ユニット1020によって行われてよく、UE200のPBCH処理モジュール208および/またはプロセッサ202によって実装されてよい。相関値は、図12のブロック1240に関して論じたように、NCC値として判断されてよい。
【０１３０】
ブロック1360において、UEは、ブロック1350において判断された相関値を所定の閾値と比較する。これは、たとえば、閾値比較ユニット1025(図11)によって行われ得る。
【０１３１】
決定ブロック1370において、UEは、所定の閾値と比較される相関値が、閾値を上回るか、それとも下回るかを判断する(いくつかの実施形態では、下回るは、等しいか、または下回るであってよく、他の実施形態では、上回るは、等しいか、または上回るであってよい)。相関値が下回る(または、そのように実装される場合は等しいか、もしくは下回る)場合、方法1300はブロック1380に進む。
【０１３２】
ブロック1380において、UEは、ブロック1360および1370からの、2つが同じである見込みがあるという判断に基づいて、第1の信号から生成された、推定された第5のサブブロックを、第2の信号からの第4のサブブロックとして採用する。言い換えると、UEは第2の信号を復号せず、そうすることによって、推定された第5のサブブロックを代わりに採用することによって、他の利益の中でも特に、電力およびレイテンシを抑える。
【０１３３】
ブロック1390において、UEは、第2の信号からの第3のサブブロックを、第1の信号からの既知の第1のサブブロックから導出することによって判断することによって、第2の信号の復号された状況を完了する。
【０１３４】
決定ブロック1370に戻ると、そうではなく、UEが、相関値が所定の閾値を上回る(または、適用可能な実施形態では、等しいか、もしくは上回る)と判断した場合、方法1300はブロック1395に進む。ブロック1395において、UEは、第2および第5のサブブロックが同じではなく、したがって推定された第5のサブブロックは使われるべきでないとの判断に応答して、第2の符号化情報ブロックの第4のサブブロックを復号する。復号は、たとえば、システム1100のポーラーデコーダユニット1010または1035のうちの1つによって実施されてよく、UE200のPBCH処理モジュール208および/またはプロセッサ202によって実装されてよい。
【０１３５】
図14は、本開示の実施形態による、例示的なBSによってマスタ情報ブロックを送信する方法1400の流れ図である。方法1400の態様は、上で紹介したBS105および300など、ワイヤレス通信デバイスのコンピューティングデバイス(たとえば、プロセッサ、処理回路、および/または他の適切な構成要素)によって実行され得る。図示のように、方法1400はいくつかの列挙されるステップを含むが、方法1400の実施形態は、列挙されるステップの前、後、およびステップ間に追加ステップを含んでよい。いくつかの実施形態では、列挙されるステップのうちの1つまたは複数は、省略され、または異なる順序で実施されてよい。
【０１３６】
ブロック1410において、ワイヤレス通信デバイスは、他のビットフィールド/情報よりも高頻度で変化し得るビットフィールドが第1のサブブロック中に配列され、第1のサブブロック中のものよりも低頻度で変化し得るビットフィールドが第2のサブブロック中に配列されるように、第1の情報ブロックのビットフィールドを配列する。一緒になって、それらは第1の情報ブロックを構成する。ワイヤレス通信デバイスは、NRネットワークのNR BSであってよい。いくつかの例では、配列することは、たとえば、BS300のPBCH生成モジュール308および/またはプロセッサ302によって実施され得る。
【０１３７】
ブロック1420において、BSは、第1の情報ブロックをポーラー符号化して、第1のサブブロック中の情報が、第2のサブブロック中の情報よりも高頻度で変化し得るような、第1のサブブロックおよび第2のサブブロックを含む第1の符号化情報ブロックを生成する。いくつかの例では、ポーラー符号化は、たとえば、BS300のPBCH生成モジュール308および/またはプロセッサ302によって実施される。
【０１３８】
ブロック1430において、BSは、第2のサブブロックが第1のサブブロックの後に位置決めされるような第1の符号化情報ブロックを送信する。いくつかの例では、送信することは、たとえば、BS300のトランシーバ310によって実施される。いくつかの実施形態では、第1の符号化情報ブロック1002を送信することは、第1の時間期間(i)中に物理ブロードキャストチャネルを通して第1の符号化情報ブロック1002を送信することを含む。その上、いくつかの実施形態では、第1の符号化情報ブロック1002を送信することは、第1の符号化情報ブロックを搬送する第1の信号を送信することを含む。
【０１３９】
ブロック1440において、ブロック1410と同様、BSは、他のビットフィールド/情報よりも高頻度で変化し得るビットフィールドが第3のサブブロック中に配列され、第3のサブブロック中のものよりも低頻度で変化し得るビットフィールドが第4のサブブロック中に配列されるように、第2の情報ブロックのビットフィールドを配列する。一緒になって、それらは第2の情報ブロックを構成する。いくつかの例では、配列することは、たとえば、BS300のPBCH生成モジュール308および/またはプロセッサ302によって実施され得る。ブロック1450において、BSは、第2の情報ブロックをポーラー符号化して、第3のサブブロック中の情報が、第4のサブブロック中の情報よりも高頻度で変化し得るような、第3のサブブロックおよび第4のサブブロックを含む第2の符号化情報ブロックを生成する。いくつかの例では、ポーラー符号化は、たとえば、BS300のPBCH生成モジュール308および/またはプロセッサ302によって実施される。
【０１４０】
ブロック1460において、BSは、第4のサブブロックが第3のサブブロックの後に位置決めされるような第2の符号化情報ブロックを送信する。いくつかの例では、送信することは、たとえば、BS300のトランシーバ310によって実施される。いくつかの実施形態では、第2の符号化情報ブロック1008を送信することは、第1の時間期間の後の第2の時間期間(i+N)中に物理ブロードキャストチャネルを通して第2の符号化情報ブロック1008を送信することを含み、ここでNは、1であるか、またはそれよりも大きい。その上、いくつかの実施形態では、第2の符号化情報ブロック1008を送信することは、第2の符号化情報ブロックを搬送する第2の信号を送信することを含む。
【０１４１】
いくつかの例では、方法1400は、第1の情報ブロックおよび第2の情報ブロックにそれぞれの凍結ビットをインターリーブするステップを含む。さらに、いくつかの実施形態では、方法1400は、本明細書では単に、第5のサブブロックおよび第6のサブブロックを含む第3の符号化情報ブロックとして記述される追加情報ブロックを配列し、符号化し、送信することを時間的に続けるステップを含み得る。第5のサブブロック(概して後続送信を参照する)は第1のサブブロックに(すなわち、ブロック1220に関して論じたような対応で)関連付けられてよく、第6のサブブロックは、第2のサブブロックに(すなわち、やはりブロック1220に関して論じたような対応で)関連付けられてよい。第6のサブブロックは、第3の符号化情報ブロック中の第5のサブブロックの後に位置決めされてよく、方法1400は、上で説明したように続き得る。
【０１４２】
図15は、ワイヤレス通信システムおよびアクセスネットワーク1500の例を示す図である。ワイヤレス通信システム(ワイヤレスワイドエリアネットワーク(WWAN)とも呼ばれる)は、基地局1502、UE1504、および発展型パケットコア(EPC)1560を含む。基地局1502は、マクロセル(高電力セルラー基地局)および/またはスモールセル(低電力セルラー基地局)を含み得る。マクロセルは基地局を含む。スモールセルは、フェムトセル、ピコセル、およびマイクロセルを含む。
【０１４３】
基地局1502(発展型ユニバーサルモバイルテレコミュニケーションズシステム(UMTS)地上波無線アクセスネットワーク(E-UTRAN)と総称される)は、バックホールリンク1532(たとえば、S1インターフェース)を介してEPC1560とインターフェースする。他の機能に加えて、基地局1502は、ユーザデータの転送、無線チャネルの暗号化および解読、完全性保護、ヘッダ圧縮、モビリティ制御機能(たとえば、ハンドオーバー、デュアル接続性)、セル間干渉協調、接続セットアップおよび解放、負荷分散、非アクセス層(NAS)メッセージのための分配、NASノード選択、同期、無線アクセスネットワーク(RAN)共有、マルチメディアブロードキャストマルチキャストサービス(MBMS)、加入者および機器の追跡、RAN情報管理(RIM)、ページング、測位、ならびに警告メッセージの配信という機能のうちの1つまたは複数を実施することができる。基地局1502は、バックホールリンク1534(たとえば、X2インターフェース)を介して互いに直接または間接的に(たとえば、EPC1560を通して)通信し得る。バックホールリンク1534はワイヤードまたはワイヤレスであり得る。
【０１４４】
基地局1502はUE1504とワイヤレスに通信することができる。基地局1502の各々は、それぞれの地理的カバレージエリア1510に通信カバレージを提供し得る。重複する地理的カバレージエリア1510が存在する場合がある。たとえば、スモールセル1502'は、1つまたは複数のマクロ基地局1502のカバレージエリア1510と重複するカバレージエリア1510'を有する場合がある。スモールセルとマクロセルの両方を含むネットワークは、異種ネットワークとして知られていることがある。異種ネットワークは、限定加入者グループ(CSG)として知られる限定グループにサービスを提供し得るホーム発展型ノードB(eNB)(HeNB)を含むこともある。基地局1502とUE1504との間の通信リンク1520は、UE1504から基地局1502へのアップリンク(UL)(逆方向リンクとも呼ばれる)送信、および/または基地局1502からUE1504へのダウンリンク(DL)(順方向リンクとも呼ばれる)送信を含んでよい。通信リンク1520は、空間多重化、ビームフォーミング、および/または送信ダイバーシティを含む、多入力多出力(MIMO)アンテナ技術を使用することがある。通信リンクは、1つまたは複数のキャリアを通したものであり得る。基地局1502/UE1504は、各方向における送信に使われる合計Yx MHz(x個のコンポーネントキャリア)までのキャリアアグリゲーションにおいて割り振られた、キャリア当たりY MHz(たとえば、5、10、15、20、100MHz)までの帯域幅のスペクトルを使うことができる。キャリアは、互いに隣接する場合も、隣接しない場合もある。キャリアの割り振りは、DLおよびULに関して非対称であってよい(たとえば、DL用にUL用よりも多数または少数のキャリアが割り振られてよい)。コンポーネントキャリアは、1次コンポーネントキャリア、および1つまたは複数の2次コンポーネントキャリアを含んでよい。1次コンポーネントキャリアは1次セル(PCell)と呼ばれることがあり、2次コンポーネントキャリアは2次セル(SCell)と呼ばれることがある。
【０１４５】
いくつかのUE1504は、デバイスツーデバイス(D2D)通信リンク1592を使って、互いに通信し得る。D2D通信リンク1592はDL/UL WWANスペクトルを使用し得る。D2D通信リンク1592は、物理サイドリンクブロードキャストチャネル(PSBCH)、物理サイドリンク発見チャネル(PSDCH)、物理サイドリンク共有チャネル(PSSCH)、および物理サイドリンク制御チャネル(PSCCH)など、1つまたは複数のサイドリンクチャネルを使うことができる。D2D通信は、たとえば、FlashLinQ、WiMedia、Bluetooth(登録商標)、ZigBee、IEEE802.11規格に基づくWi-Fi、LTE、またはNRなど、様々なワイヤレスD2D通信システムを通してよい。
【０１４６】
ワイヤレス通信システムは、5GHz無認可周波数スペクトル内で通信リンク1554を介してWi-Fi局(STA)1552と通信しているWi-Fiアクセスポイント(AP)1550をさらに含む場合がある。無認可周波数スペクトル内で通信するとき、STA1552/AP1550は、チャネルが利用可能であるかどうかを判断するために、通信するより前にクリアチャネルアセスメント(CCA)を実施することができる。
【０１４７】
スモールセル1502'は、認可および/または無認可の周波数スペクトル内で動作し得る。無認可周波数スペクトル内で動作しているとき、スモールセル1502'は、NRを採用し、Wi-Fi AP1550によって使われるのと同じ5GHz無認可周波数スペクトルを使い得る。無認可周波数スペクトルにおいてNRを採用するスモールセル1502'は、アクセスネットワークへのカバレージを増強し得、かつ/またはアクセスネットワークの容量を増大させ得る。
【０１４８】
gノードB(gNB)1580は、UE1504と通信しているミリ波(mmW)周波数および/または準mmW周波数において動作し得る。gNB1580がmmW周波数または準mmW周波数で動作するとき、gNB1580はmmW基地局と呼ばれることがある。極高周波数(EHF)は、電磁スペクトルにおけるRFの一部である。EHFは、30GHz〜300GHzの範囲および1ミリメートルから10ミリメートルの間の波長を有する。その帯域における電波は、ミリ波と呼ばれることがある。準mmWは、100ミリメートルの波長を有する3GHzの周波数まで下へ広がり得る。超高周波数(SHF)帯域は、センチメートル波とも呼ばれ、3GHzから30GHzの間に広がる。mmW/準mmW無線周波数帯域を使用する通信は、経路損失が極めて大きく、距離が短い。mmW基地局1580は、極めて大きい経路損失および短い距離を補償するために、UE1504と一緒にビームフォーミング1584を利用し得る。
【０１４９】
EPC1560は、モビリティ管理エンティティ(MME)1562、他のMME1564、サービングゲートウェイ1566、マルチメディアブロードキャストマルチキャストサービス(MBMS)ゲートウェイ1568、ブロードキャストマルチキャストサービスセンタ(BM-SC)1570、およびパケットデータネットワーク(PDN)ゲートウェイ1572を含み得る。MME1562は、ホーム加入者サーバ(HSS)1574と通信している場合がある。MME1562は、UE1504とEPC1560との間のシグナリングを処理する制御ノードである。一般に、MME1562は、ベアラおよび接続の管理を行う。すべてのユーザインターネットプロトコル(IP)パケットは、サービングゲートウェイ1566を通して転送され、サービングゲートウェイ1566自体は、PDNゲートウェイ1572に接続される。PDNゲートウェイ1572は、UEのIPアドレス割り振りならびに他の機能を提供する。PDNゲートウェイ1572およびBM-SC1570はIPサービス1576に接続される。IPサービス1576は、インターネット、イントラネット、IPマルチメディアサブシステム(IMS)、PSストリーミングサービス、および/または他のIPサービスを含み得る。BM-SC1570は、MBMSユーザサービスプロビジョニングおよび配信のための機能を提供することができる。BM-SC1570は、コンテンツプロバイダMBMS送信のためのエントリポイントとして働くことがあり、公衆陸上移動網(PLMN)内のMBMSベアラサービスを認可および開始するために使用されることがあり、MBMS送信をスケジューリングするために使用されることがある。MBMSゲートウェイ1568は、特定のサービスをブロードキャストするマルチキャストブロードキャスト単一周波数ネットワーク(MBSFN)エリアに属する基地局1502にMBMSトラフィックを配信するために使用される場合があり、セッション管理(開始/停止)およびeMBMS関係の課金情報を収集することに関与する場合がある。
【０１５０】
基地局は、gNB、ノードB、発展型ノードB(eNB)、アクセスポイント、トランシーバ基地局、無線基地局、無線トランシーバ、トランシーバ機能、基本サービスセット(BSS)、拡張サービスセット(ESS)、または他の何らかの好適な用語で呼ばれることもある。基地局1502は、EPC1560へのアクセスポイントをUE1504に提供する。UE1504の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、車両、電気メーター、ガスポンプ、トースター、または任意の他の同様の機能デバイスがある。UE1504の一部は、IoTデバイス(たとえば、パーキングメーター、ガスポンプ、トースター、車両など)と呼ばれることがある。UE1504は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、またはいくつかの他の好適な用語で呼ばれることもある。
【０１５１】
図15を再度参照すると、いくつかの態様では、基地局1580は、PBCHペイロードを構築するように構成されているPBCH構成要素1598を含むように構成されてよく、ビットロケーションは、対応するビットロケーションについての推定信頼度に基づいて、PBCHの複数のビットを符号化するために選択され、複数のビットは、凍結ビット、ユーザ機器にとって未知である未知のビット、およびユーザ機器によって潜在的に既知である、潜在的に既知のビットを含む。他の態様では、UE1504は、逐次復号順序に基づいて、凍結ビット、未知のビット、および潜在的に既知のビットを含むPBCHを復号するように構成されたPBCH復号構成要素1599を含むように構成され得る。
【０１５２】
PBCHペイロードは、凍結ビットなど、UEにすでに知られている符号化ビットを含み得る。PBCHペイロードは、UEにとって潜在的に既知である符号化ビットを含むことができ、UEは、未知の情報の残りのセットのみについて、PBCHを復号する必要があり得る。
【０１５３】
未知の情報は、たとえば、SSブロックインデックス、SSバーストセットインデックス、システムフレーム番号(SFN)、および/または誤り検出ビットなどのタイミング情報を含み得る。たとえば、タイミング情報はCRCビットを含み得る。
【０１５４】
したがって、PBCHペイロードの一部、または符号化PBCHビットは、UEにすでに知られている場合があり、UEは、残りの、未知の情報のみについて、PBCHを復号する必要があり得る。
【０１５５】
たとえば、UEは、未知のタイミング情報を除く、ネイバーセルPBCHについての、システム情報、たとえば、MIBの大部分を潜在的に知っている場合がある。この潜在的に既知の情報は、UEに与えられており、たとえば、サービングセルが、ネイバーセルに関するそのような情報をUEに与えることができるので、UEにとって既知であり得る。PBCHは、UEによってやはり既知である凍結ビットを含み得る。UEは、ペイロードの潜在的に既知のビット、ならびに凍結ビットの少なくとも一部を使って、部分的に既知のPBCHを復号することができる。
【０１５６】
一例では、ポーラーコード化PBCH用に、潜在的に既知のペイロードは、UEにおける復号プロセスでは凍結ビットとして扱われ得る。
【０１５７】
Q=(q1,q2,...,qN)が、ポーラーエンコーダへの入力ビットに対するインデックスを与えるビットロケーションベクトルであるN×Nの所与のポーラーコード生成行列GNについて、q1,q2,...,qNは、推定信頼度に基づいてソートされ得る。たとえば、入力ビットは、q1が最も信頼でき、qNが最も信頼度が低くなるようにソートされ得る。いくつかのケースでは、信頼度は推定に基づき得る。
【０１５８】
たとえば、2ビット(列)ベクトルxについての単純生成行列
【０１５９】
【数２】
2020522911.tif 000004
【０１６０】
、生成コードワードy=G2xについて、Q=(2,1)を得る。
【０１６１】
したがって、所与のGNについて、ビットロケーションベクトルQを得る。次いで、エンコーダの入力において、K<N個の情報ビットが、最も信頼できるビットロケーションに置かれ、(既知のビットである)凍結ビットは残りのN-K個のビットロケーションである。このように取得されるビットベクトルは、N×1ベクトルxである。エンコーダは次いで、Nビットのコードワードy=GNxを生じる。ときには、送信されたコードワードは、送信するべき、Nよりも少ないビットを取得するようにパンクチャされ得る。この場合、ビットロケーションベクトルQは、実際に送信されたビットに基づくビット信頼度を反映するように適切に更新され得る。
【０１６２】
凍結ビットは、最も信頼できないビットロケーションに置かれ得る。潜在的に既知のビットの少なくとも一部は、未知のビットのものよりも信頼できないビットロケーションに置かれ得る。したがって、潜在的に既知のビットは、基地局による送信用のPBCHを構築する際、未知のビットが置かれるビットロケーションの信頼度よりも低い信頼度のビットロケーションに置かれ得る。
【０１６３】
潜在的に既知のビットのロケーションを与えられると、UEは、情報ビットの逐次復号に基づいて、PBCHを復号することができる。凍結ビットは、UEによってすでに知られており、復号される必要がない場合がある。UEは、潜在的に既知のビットを最初に復号すればよく、次いで、未知のビットの少なくとも一部を続いて復号すればよい。
【０１６４】
こうすることにより、UEは、ネイバーセル用のPBCHをより効率的に復号することが可能になり得る。たとえば、UEは、PBCH中に備えられるSSブロックインデックスなどのタイミング情報を取得するために、4ショットPBCH復号を求め得る。UEが、ネイバーセルPBCH用の残りのビットの少なくとも一部、たとえば、SSブロックインデックス以外のビットを知っている場合、UEは、それらのビットを凍結ビットとして扱えばよい。こうすることにより、UEは、縮小復号処理で、たとえば、シングルショットPBCH復号でSSブロックインデックスを取得することが可能になり得る。
【０１６５】
図16は、本明細書に提示する態様による、UE1604(たとえば、UE1504)、第1の基地局1602(たとえば、基地局1580)、および第2の基地局1606(たとえば、基地局1580)の間の通信フロー1600を示す。第1の基地局1602はサービング基地局であってよく、第2の基地局はネイバー基地局であってよい。第2の基地局1606は、複数のSSブロック中でPBCHを送信し得る。各SSブロックは、SSブロックインデックスなど、PBCHペイロード中に含まれるタイミング情報を含み得る。たとえば、図16は、基地局1606が、第1のSSブロック中の、第1のタイミング情報を含む第1のPBCHペイロード1612と、第2のSSブロック中の、第2のタイミング情報を含む第2のPBCHペイロード1614とを送信することを示す。1608において、基地局1606は、対応するビットロケーションについての推定信頼度に基づいて、PBCH情報についてのビットロケーションを選択して、1608においてPBCHを構築することができる。たとえば、凍結ビットは、最も信頼できないビットロケーションに置かれてよく、潜在的に既知のビットの少なくとも一部は、未知のビットよりも信頼できないビットロケーションに置かれてよい。
【０１６６】
UE1604は、1620において、逐次復号順序に基づいて、基地局1606から受信されたPBCHペイロードを復号することができる。凍結ビットは、すでに知られている場合があり、復号を求めない場合がある。UEは、最初に潜在的に既知のビットを復号し、続いて、未知のビットを復号すればよい。
【０１６７】
図16に示すように、潜在的に既知のビットは、第1の基地局1602からUE1604に与えられる、第2の基地局PBCHに関する情報に対応し得る。
【０１６８】
第1の例では、UEが第2のセルについてのセル品質測定を報告するのに先立って、第1のセルが、1610における第2のセルPBCHビットに関する情報をUE1604に与え得る。たとえば、UE1604は、第2の基地局1606からPBCHを受信するのに先立って、第2の基地局PBCHに関する情報を第1の基地局1602から受信し得る。UE1604は次いで、第2の基地局のSSブロックを検出することができ、第1の基地局1602から受信された情報1610を、1620において、逐次復号順序を使って第2の基地局のPBCHを復号するのに使うことができる。こうすることにより、PBCH復号レイテンシを低減することができる。
【０１６９】
この第1の例において、サービングセルは、ネイバーセル品質を報告する際に使うべき、各被サービングUE用の複数の周辺ネイバーセルのPBCHビットに関する情報を与えることができる。たとえば、サービングセルは、複数のネイバーセルIDに対応する情報を与えることができる。ただし、これは、サービングセルが、UEにかなりの量の情報を与えることを求め得る。
【０１７０】
第2の例では、UE1604は、第1の基地局1602から情報を受信するのに先立って、第2の基地局1606からSSブロックを検出し得る。UEは、第2の基地局1606のセルIDを検出し得る。セルIDを検出すると、UEは、1616において、セルIDを第1の基地局1602に報告してよい。UEからセルIDを受信したことに応答して、第1の基地局1602は、1618において、第2の基地局1606についてのPBCHビット情報をUEに与え得る。UEは次いで、第1のセル1602からの情報を、1620において、逐次復号順序を使って第2の基地局のPBCHを復号するのに使ってよい。
【０１７１】
この第2の例において、サービングセルは、UEが、対応するセルIDを報告したことに応答して、特定のネイバーセルについてのPBCHビットに関する情報を与え得る。これは、第1の例よりも大きいレイテンシを伴い得るが、第2の例は、サービング基地局に対するRRCシグナリングオーバーヘッドを低減する。
【０１７２】
したがって、第1の基地局は、UEが第2の基地局の基準時間を導出するのを支援するための情報を与えることができ、たとえば、サービングセルは、UEが目標セルの基準時間を導出するのを支援し得る。
【０１７３】
図17は、ワイヤレス通信の方法のフローチャート1700である。この方法は、UE950(たとえば、UE1504)と通信する基地局(たとえば、基地局1502)によって実施され得る。1702において、たとえば、図16の1608に関連して記載したように、基地局はPBCHペイロードを構築し、ビットロケーションは、対応するビットロケーションについての推定信頼度に基づいて、PBCHの複数のビットを符号化するために選択され、複数のビットは、凍結ビット、ユーザ機器にとって未知である未知のビット、およびユーザ機器によって潜在的に既知である、潜在的に既知のビットを含む。PBCHペイロードは、ポーラーコード化PBCHを含み得る。潜在的に既知のビットの少なくとも一部には、PBCHペイロードを符号化する際、未知のビットよりも信頼できないビットロケーションが与えられ得る。凍結ビットには、PBCHペイロードを符号化する際、潜在的に既知のビットよりも信頼できないビットロケーションが与えられ得る。
【０１７４】
1704において、基地局は、複数のSSブロックのうちの少なくとも1つの中でPBCHペイロードを送信し、各SSブロックは、対応するタイミング情報を含む。たとえば、各SSブロックはSSブロックインデックスを含み得る。したがって、タイミング情報は、SSブロックインデックス、SSバーストセットインデックス、およびシステムフレーム番号(SFN)のうちの少なくとも1つを含み得る。
【０１７５】
未知のビットは、タイミング情報、たとえば、SSブロックインデックス、SSバーストセットインデックス、およびSFNのうちの少なくとも1つを含み得る。未知のビットは、誤り検出ビット、たとえば、CRCビットを含み得る。
【０１７６】
潜在的に既知のビットは、異なるセルによってユーザ機器に与えられるシステム情報を含み得る。たとえば、そのような潜在的に既知の情報は、他のチャネル用のサブキャリア間隔、共通制御リソースセット(CORESET)の構成、残りのシステム情報、システム帯域幅、システム帯域幅内での同期信号のロケーション、および/または予約済みビットの送信の構成などのヌメロロジーのうちのいずれかを含み得る。潜在的に既知の情報は、SFNの一部、たとえば、合計10ビットのSFNのうち、8個のMSBを含み得る。したがって、第1のセルは、第2のセルの正確なタイミングを与えることができない場合もあるが、第1のセルは、一定のレベルの精度、たとえば、最大20ms精度において、ネイバーセル時間を与えることはでき得る。
【０１７７】
図18は、例示的な装置1802における異なる手段/構成要素間のデータフローを示す概念データフロー図1800である。装置は、UE(たとえば、UE1504)と通信する基地局(たとえば、基地局1580)であってよい。装置は、アップリンク通信を受信する受信構成要素1804と、PBCHを含むDL通信をUEへ送信する送信構成要素1806とを含む。装置は、PBCHペイロードを構築するように構成されたPBCH構築構成要素1808を含むことができ、ビットロケーションは、対応するビットロケーションについての推定信頼度に基づいて、PBCHの複数のビットを符号化するために選択され、複数のビットは、凍結ビット、ユーザ機器にとって未知である未知のビット、およびユーザ機器によって潜在的に既知である、潜在的に既知のビットを含む。たとえば、PBCH構築構成要素は、PBCHを符号化するとき、潜在的に既知のビットの少なくとも一部には、未知のビットよりも信頼できないビットロケーションを与えればよく、凍結ビットには、潜在的に既知のビットよりも信頼できないビットロケーションを与えればよい。装置は、複数のSSブロックのうちの少なくとも1つの中で、たとえば、送信構成要素1806を介して、PBCHペイロードを送信するように構成されているSSブロック構成要素1810を含むことができ、各SSブロックは、対応するタイミング情報を含む。
【０１７８】
装置は、図16および図17の上述のフローチャート内のアルゴリズムのブロックの各々を実施するさらなる構成要素を含む場合がある。したがって、図16および図17の上述のフローチャート内の各ブロックは、1つの構成要素によって実施される場合があり、装置は、それらの構成要素のうちの1つまたは複数を含む場合がある。構成要素は、述べられたプロセス/アルゴリズムを遂行するように具体的に構成された1つもしくは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであり得る。
【０１７９】
図19は、処理システム1914を利用する装置1802'のハードウェア実装形態の例を示す図1900である。処理システム1914は、バス1924によって概略的に表されるバスアーキテクチャを用いて実装され得る。バス1924は、処理システム1914の具体的な適用例と全体的な設計制約とに応じて、任意の数の相互接続するバスおよびブリッジを含み得る。バス1924は、プロセッサ1904によって表される1つまたは複数のプロセッサおよび/またはハードウェア構成要素と、構成要素1804、1806、1808、1810と、コンピュータ可読媒体/メモリ1906とを含む様々な回路を互いにつなぐ。バス1924はまた、タイミングソース、周辺装置、電圧調整器、および電力管理回路などの様々な他の回路をつなぎ得るが、それらの回路は当技術分野でよく知られており、したがってこれ以上は説明されない。
【０１８０】
処理システム1914は、トランシーバ1910に結合され得る。トランシーバ1910は、1つまたは複数のアンテナ1920に結合される。トランシーバ1910は、伝送媒体を介して様々な他の装置と通信するための手段を構成する。トランシーバ1910は、1つまたは複数のアンテナ1920から信号を受信し、受信された信号から情報を抽出し、抽出された情報を処理システム1914に、詳細には受信構成要素1804に提供する。加えて、トランシーバ1910は、処理システム1914、詳細には送信構成要素1806から情報を受信し、受信された情報に基づいて、1つまたは複数のアンテナ1920に印加されるべき信号を生成する。処理システム1914は、コンピュータ可読媒体/メモリ1906に結合されたプロセッサ1904を含む。プロセッサ1904は、コンピュータ可読媒体/メモリ1906上に記憶されたソフトウェアの実行を含む、一般的な処理を担当する。ソフトウェアは、プロセッサ1904によって実行されると、任意の特定の装置に対して上で説明された様々な機能を処理システム1914に実施させる。コンピュータ可読媒体/メモリ1906は、ソフトウェアを実行するときにプロセッサ1904によって操作されるデータを記憶するためにも使用される場合がある。処理システム1914は、構成要素1804、1806、1808、1810のうちの少なくとも1つをさらに含む。構成要素は、プロセッサ1904の中で稼働するとともにコンピュータ可読媒体/メモリ1906の中に常駐する/記憶されるソフトウェア構成要素、プロセッサ1904に結合された1つもしくは複数のハードウェア構成要素、またはそれらのいくつかの組合せであってよい。処理システム1914は、基地局の構成要素であってよく、メモリ、ならびに/または、TXプロセッサ、RXプロセッサ、およびコントローラ/プロセッサのうちの少なくとも1つを含み得る。
【０１８１】
一構成では、ワイヤレス通信のための装置1802は、PBCHペイロードを構築するための手段であって、ビットロケーションは、対応するビットロケーションについての推定信頼度に基づいて、PBCHの複数のビットを符号化するために選択され、複数のビットは、凍結ビット、ユーザ機器にとって未知である未知のビット、およびユーザ機器によって潜在的に既知である、潜在的に既知のビットを含む、手段と、複数のSSブロックのうちの少なくとも1つの中でPBCHペイロードを送信するための手段であって、各SSブロックは、対応するタイミング情報を含む、手段とを含む。上述の手段は、上述の手段によって列挙された機能を実施するように構成された、装置1802の上述の構成要素および/または装置1802の処理システム1914のうちの1つまたは複数であってよい。上記で記載されたように、処理システム1914は、TXプロセッサ、RXプロセッサ、およびコントローラ/プロセッサを含む場合がある。したがって、一構成では、上述の手段は、上述の手段によって記載される機能を実施するように構成された、TXプロセッサ、RXプロセッサ、およびコントローラ/プロセッサであってよい。
【０１８２】
図20は、ワイヤレス通信の方法のフローチャート2000である。この方法は、第1のセルによってサービングされ、第2のセルの基地局(たとえば、基地局1502)から通信を受信するUE(たとえば、UE1504)によって実施され得る。任意選択の態様が、破線を用いて示されている。2004において、UEは、複数のSSブロックのうちの少なくとも1つの中で第2のセルのPBCHペイロードを受信し、各SSブロックは、対応するタイミング情報を含み、PBCHペイロードは、凍結ビット、ユーザ機器にとって未知である未知のビット、およびユーザ機器によって潜在的に既知である、潜在的に既知のビットを含む。PBCHペイロードは、ポーラーコード化PBCHを含み得る。
【０１８３】
2012において、UEは、逐次復号順序に基づいてPBCHを復号する。逐次復号順序は、対応するビットについての推定信頼度に基づき得る。潜在的に既知のビットは、未知のビットに先立って復号され得る。潜在的に既知のビットは、第1のセルによってユーザ機器に与えられるシステム情報を含み得る。未知のビットは、タイミング情報、たとえば、SSブロックインデックス、SSバーストセットインデックス、およびSFNのうちの少なくとも1つを含み得る。潜在的に既知のビットは、誤り検出ビット、たとえば、CRCビットを含み得る。
【０１８４】
一例では、2002に示すように、UEは、セル品質を報告するのに先立って、第1のセルから、第2のセルについてのセルIDに対応する複数の潜在的に既知のビットを受信し得る。次いで、2006において、UEは、受信されたSSブロックから、第2のセルのセルIDを検出し得る。PBCHは、2012において、第1のセルから取得されたビットを使って、逐次復号順序に基づいて復号され得る。
【０１８５】
別の例では、UEは、2004において、PBCHを受信するのに先立って、潜在的に既知のビットを受信しない場合もある。この例では、UEは、2008において、第2のセルの検出されたセルIDを第1のセルに報告すればよい。次いで、2010において、UEは、セルIDを報告したことに応答して、第1のセルから、第2のセルについてのセルIDに対応する、複数の潜在的に既知のビットを受信し得る。PBCHは、2012において、第1のセルから取得されたビットを使って、逐次復号順序に基づいて復号され得る。
【０１８６】
図21は、例示的な装置2102における異なる手段/構成要素間のデータフローを示す概念データフロー図2100である。この装置は、第1の基地局2151(たとえば、基地局1580)と、および第2の基地局2150(たとえば、基地局1580)と通信するUE(たとえば、UE1504)であってよい。装置は、第1のセルおよび第2のセルから、たとえば、第1の基地局2151および第2の基地局2150を介してダウンリンク通信を受信する受信構成要素2104を含む。装置は、基地局、たとえば、2150、2151へUL通信を送信する送信構成要素2106を含む。装置は、複数のSSブロックのうちの少なくとも1つの中で第2のセルのPBCHペイロードを受信するように構成されたPBCH構成要素2108を含み、各SSブロックは、対応するタイミング情報を含み、PBCHペイロードは、凍結ビット、ユーザ機器にとって未知である未知のビット、およびユーザ機器によって潜在的に既知である、潜在的に既知のビットを含む。
【０１８７】
装置は、逐次復号順序に基づいてPBCHを復号するように構成された復号構成要素2110を含む。逐次復号順序は、対応するビットについての推定信頼度に基づき得る。
【０１８８】
装置は、第1のセルから、第2のセルについてのセルIDに対応する複数の潜在的に既知のビットを受信するように構成された潜在的既知ビット構成要素2112を含み得る。装置は、第2のセル2150のセルIDを検出するように構成されたセルID構成要素2114を含み得る。潜在的に既知のビットは、セルIDを検出するのに先立って受信されてよく、セルIDは、対応する第2のセル用の潜在的に既知のビットを識別するのに使われ得る。別の例では、UEは、潜在的に既知のビットを受信するのに先立って、セルIDを検出し得る。装置は、第2のセルのセルIDを第1のセルに報告するように構成された報告構成要素2116をさらに含み得る。次いで、第2のセルについての潜在的に既知のビットが、報告されたセルIDに応答して受信され得る。
【０１８９】
装置は、図16および図20の上述のフローチャート内のアルゴリズムのブロックの各々を実施するさらなる構成要素を含む場合がある。したがって、図16および図20の上述のフローチャート内の各ブロックは、1つの構成要素によって実施される場合があり、装置は、それらの構成要素のうちの1つまたは複数を含む場合がある。構成要素は、述べられたプロセス/アルゴリズムを遂行するように具体的に構成された1つもしくは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであり得る。
【０１９０】
図22は、処理システム2214を採用する装置2102'のためのハードウェア実装形態の例を示す図2200である。処理システム2214は、バス2224によって概略的に表されるバスアーキテクチャを用いて実装され得る。バス2224は、処理システム2214の具体的な適用例と全体的な設計制約とに応じて、任意の数の相互接続するバスおよびブリッジを含み得る。バス2224は、プロセッサ2204によって表される1つまたは複数のプロセッサおよび/またはハードウェア構成要素と、構成要素2104、2106、2108、2110、2112、2114、2116と、コンピュータ可読媒体/メモリ2206とを含む様々な回路を互いにリンクする。バス2224はまた、タイミングソース、周辺装置、電圧調整器、および電力管理回路などの様々な他の回路をリンクする場合があるが、これらの回路は当技術分野においてよく知られており、したがって、これ以上説明しない。
【０１９１】
処理システム2214は、トランシーバ2210に結合され得る。トランシーバ2210は、1つまたは複数のアンテナ2220に結合される。トランシーバ2210は、伝送媒体を介して様々な他の装置と通信するための手段を提供する。トランシーバ2210は、1つまたは複数のアンテナ2220から信号を受信し、受信された信号から情報を抽出し、抽出された情報を処理システム2214に、詳細には受信構成要素2104に提供する。加えて、トランシーバ2210は、処理システム2214から、詳細には送信構成要素2106から情報を受信し、受信した情報に基づいて、1つまたは複数のアンテナ2220に印加されるべき信号を生成する。処理システム2214は、コンピュータ可読媒体/メモリ2206に結合されたプロセッサ2204を含む。プロセッサ2204は、コンピュータ可読媒体/メモリ2206上に記憶されたソフトウェアの実行を含む、一般的な処理を担当する。ソフトウェアは、プロセッサ2204によって実行されると、任意の特定の装置に対して上で説明された様々な機能を処理システム2214に実施させる。コンピュータ可読媒体/メモリ2206はまた、ソフトウェアを実行するときにプロセッサ2204によって操作されるデータを記憶するために使用され得る。処理システム2214は、構成要素2104、2106、2108、2110、2112、2114、2116のうちの少なくとも1つをさらに含む。構成要素は、プロセッサ2204の中で稼働するとともにコンピュータ可読媒体/メモリ2206の中に常駐する/記憶されるソフトウェア構成要素、プロセッサ2204に結合された1つもしくは複数のハードウェア構成要素、またはそれらのいくつかの組合せであってよい。処理システム2214は、UEの構成要素であってよく、メモリ、ならびに/または、TXプロセッサ、RXプロセッサ、およびコントローラ/プロセッサのうちの少なくとも1つを含み得る。
【０１９２】
一構成では、ワイヤレス通信のための装置2102/2102'は、複数のSSブロックのうちの少なくとも1つの中で第2のセルのPBCHペイロードを受信するための手段であって、各SSブロックは、対応するタイミング情報を含み、PBCHペイロードは、凍結ビット、ユーザ機器にとって未知である未知のビット、およびユーザ機器によって潜在的に既知である、潜在的に既知のビットを含む、手段と、逐次復号順序に基づいてPBCHを復号するための手段と、セル品質を報告するのに先立って、第1のセルから、第2のセルについてのセルIDに対応する複数の潜在的に既知のビットを受信するための手段と、受信されたSSブロックから、第2のセルのセルIDを検出するための手段と、第2のセルのセルIDを第1のセルに報告するための手段と、セルIDを報告したことに応答して、第1のセルから、第2のセルについてのセルIDに対応する、複数の潜在的に既知のビットを受信するための手段とを含む。上述の手段は、上述の手段によって列挙された機能を実施するように構成された装置2102および/または装置2102'の処理システム2214の上述の構成要素のうちの1つまたは複数であり得る。上記で記載されたように、処理システム2214は、TXプロセッサ、RXプロセッサ、およびコントローラ/プロセッサを含む場合がある。したがって、一構成では、上述の手段は、上述の手段によって記載される機能を実施するように構成された、TXプロセッサ、RXプロセッサ、およびコントローラ/プロセッサであってよい。
【０１９３】
情報および信号は、様々な異なる技術および技法のうちのいずれかを使用して表される場合がある。たとえば、上記の説明全体にわたって言及され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１９４】
本明細書の本開示に関して説明する様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明する機能を実施するように設計されたそれらの任意の組合せを用いて実装または実施される場合がある。汎用プロセッサは、マイクロプロセッサであり得るが、代替として、プロセッサは、任意の従来のプロセッサ、コントローラ、マイクロコントローラ、または状態機械であり得る。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)としても実装され得る。
【０１９５】
本明細書で説明した機能は、ハードウェア、プロセッサによって実行されるソフトウェア、ファームウェア、またはそれらの組合せで実装され得る。プロセッサによって実行されるソフトウェアにおいて実装される場合、機能は、1つまたは複数の命令またはコードとしてコンピュータ可読媒体上に記憶され得るか、またはコンピュータ可読媒体を介して送信され得る。他の例および実装形態は、本開示および添付の特許請求の範囲の範囲内に入る。たとえば、ソフトウェアの性質に起因して、上述された機能は、プロセッサ、ハードウェア、ファームウェア、ハードワイヤリング、またはこれらのうちのいずれかの組合せによって実行されるソフトウェアを使用して実装され得る。機能を実装する特徴はまた、様々な物理的位置に機能の一部が実装されるように分散されることを含めて、様々な位置に物理的に配置されてもよい。また、特許請求の範囲内を含む本明細書で使用するとき、項目のリスト(たとえば、「のうちの少なくとも1つ」または「のうちの1つまたは複数」などの句で始まる項目のリスト)の中で使用されるような「または」は、たとえば、[A、B、またはCのうちの少なくとも1つ]のリストが、AまたはBまたはCまたはABまたはACまたはBCまたはABC(すなわち、AおよびBおよびC)を意味するような包括的リストを示す。
【０１９６】
当業者なら今や諒解するように、また当面の特定の適用例に応じて、本開示の主旨および範囲から逸脱することなく、本開示のデバイスの材料、装置、構成、および使用方法において、かつそれらに対して、多くの修正、置換、および変形を行うことができる。このことに照らして、本明細書で示し、説明した特定の実施形態は、それらのいくつかの例によるものにすぎないため、本開示の範囲はそのような特定の実施形態の範囲に限定されるべきではなく、むしろ、下記に添付される特許請求の範囲およびそれらの機能的な等価物の範囲と完全に同じであるべきである。
【符号の説明】
【０１９７】
100  ワイヤレス通信ネットワーク、ネットワーク
105  BS
110  地理的カバレージエリア、カバレージエリア
115  UE
125  通信リンク
130  コアネットワーク
132  バックホールリンク
134  バックホールリンク
200  ワイヤレス通信デバイス、UE
202  プロセッサ
204  メモリ
206  命令
208  PBCH処理モジュール
210  トランシーバ
212  モデムサブシステム
214  無線周波数(RF)ユニット
216  アンテナ
300  BS
302  プロセッサ
304  メモリ
306  命令
308  PBCH生成モジュール
310  トランシーバ
312  モデムサブシステム
314  RFユニット
316  アンテナ
402  UE
404  BS
1000  システム
1005  復調ユニット
1010  ポーラー復号ユニット
1020  相関ユニット
1025  閾値比較ユニット、閾値および比較ユニット
1030  更新ユニット
1035  ポーラー復号ユニット
1100  システム
1130  コピーユニット
1140  修正ユニット
1145  ポーラーエンコーダユニット
1500  アクセスネットワーク
1502  基地局
1502'  スモールセル
1504  UE
1510  地理的カバレージエリア、カバレージエリア
1510'  カバレージエリア
1520  通信リンク
1532  バックホールリンク
1534  バックホールリンク
1550  Wi-Fiアクセスポイント(AP)
1552  Wi-Fi局(STA)
1554  通信リンク
1560  発展型パケットコア(EPC)
1562  モビリティ管理エンティティ(MME)
1564  他のMME
1566  サービングゲートウェイ
1568  マルチメディアブロードキャストマルチキャストサービス(MBMS)ゲートウェイ
1570  ブロードキャストマルチキャストサービスセンタ(BM-SC)
1572  パケットデータネットワーク(PDN)ゲートウェイ
1574  ホーム加入者サーバ(HSS)
1576  IPサービス
1580  gノードB(gNB)、基地局
1592  デバイスツーデバイス(D2D)通信リンク
1598  PBCH構成要素
1599  PBCH復号構成要素
1602  第1の基地局
1604  UE
1606  第2の基地局、基地局
1802  装置
1802'  装置
1804  受信構成要素、構成要素
1806  送信構成要素、構成要素
1808  PBCH構築構成要素、構成要素
1810  SSブロック構成要素、構成要素
1904  プロセッサ
1906  コンピュータ可読媒体/メモリ
1910  トランシーバ
1914  処理システム
1920  アンテナ
1924  バス
2102  装置
2102'  装置
2104  受信構成要素、構成要素
2106  送信構成要素、構成要素
2108  PBCH構成要素、構成要素
2110  復号構成要素、構成要素
2112  潜在的既知ビット構成要素、構成要素
2114  セルID構成要素、構成要素
2116  報告構成要素、構成要素
2150  第2の基地局、基地局
2151  第1の基地局、基地局
2204  プロセッサ
2206  コンピュータ可読媒体/メモリ
2210  トランシーバ
2214  処理システム
2220  アンテナ
2224  バス
【図１】
2020522911.tif 000005
【図２】
2020522911.tif 000006
【図３】
2020522911.tif 000007
【図４】
2020522911.tif 000008
【図５】
2020522911.tif 000009
【図６】
2020522911.tif 000010
【図７】
2020522911.tif 000011
【図８】
2020522911.tif 000012
【図９】
2020522911.tif 000013
【図１０】
2020522911.tif 000014
【図１１】
2020522911.tif 000015
【図１２】
2020522911.tif 000016
【図１３】
2020522911.tif 000017
【図１４】
2020522911.tif 000018
【図１５】
2020522911.tif 000019
【図１６】
2020522911.tif 000020
【図１７】
2020522911.tif 000021
【図１８】
2020522911.tif 000022
【図１９】
2020522911.tif 000023
【図２０】
2020522911.tif 000024
【図２１】
2020522911.tif 000025
【図２２】
2020522911.tif 000026
【国際調査報告】
2020522911.tif 000027
2020522911.tif 000028